(57)【特許請求の範囲】
【請求項１】
ユニットＩＤを有する複数の処理ユニット（１２２０）と通信可能な外部装置処理ユニット（１１０）を備えたワークシステムであって、
前記外部装置処理ユニット（１１０）は、少なくとも１つの外部装置（１３１）に接続され、
前記外部装置処理ユニット（１１０）が、
外部装置処理プロセッサ（１１１）と、
前記複数の処理ユニット（１２２０）と無線で通信するために、前記外部装置処理プロセッサ（１１１）に接続された外部装置通信回路（１０２）と、
前記外部装置処理プロセッサ（１１１）と前記少なくとも１つの外部装置（１３１）との間に接続された外部装置インタフェース回路（１０４）とを備え、
前記外部装置処理プロセッサ（１１１）が前記複数の処理ユニット（１２２０）の１つから、前記外部装置通信回路（１０２）を介して、前記少なくとも１つの外部装置（１３１）を利用するためのサービス要求をユニットＩＤと共に受け取り、
前記外部装置処理プロセッサ（１１１）が、前記複数の処理ユニット（１２２０）の１つに対するユニットＩＤを特定し、前記特定されたユニットＩＤによる前記複数の処理ユニット（１２２０）の１つへの排他的アクセスを許可し、前記少なくとも１つの外部装置（１３１）を使用するためのサービス応答を、特定されたユニットＩＤに基づいて前記複数の処理ユニット（１２２０）の１つへ送信し、
前記外部装置処理プロセッサ（１１１）が、前記複数の処理ユニット（１２２０）の１つによってリリースされた後に、前記外部装置処理プロセッサ（１１１）が、前記複数の処理ユニットの他の１つに、他のユニットＩＤによる排他的アクセスを許可し、前記複数の処理ユニット（１２２０）の前記他の１つに他のサービス応答を提供することができる、
ワークシステム。
【請求項２】
前記複数の処理ユニット（１２２０）が、
処理プロセッサ（１２１）と、
前記外部装置処理プロセッサ（１１１）の外部装置通信回路（１０２）と無線通信を行うために前記処理プロセッサに接続された通信回路（１２２）とを備える、
請求項１に記載のワークシステム。
【請求項３】
前記外部装置処理ユニット（１１０）が外部装置ＩＤを有し、前記外部装置処理ユニット（１１０）が、前記サービス応答を前記外部装置ＩＤと共に前記複数の処理ユニット（１２２０）の前記１つに送信する、
請求項１に記載のワークシステム。
【請求項４】
前記サービス要求を送信する際に、前記複数の処理ユニット（１２２０）の前記１つが先頭信号と終端信号とを送信すると共に、ユニットＩＤとリクエストコンテンツとを前記先頭信号と終端信号との間に含める、
請求項３に記載のワークシステム。
【請求項５】
前記サービス要求を送信する際に、前記複数の処理ユニット（１２２０）の前記１つが、外部装置ＩＤを前記先頭信号と終端信号との間に含める、
請求項４に記載のワークシステム。
【請求項６】
前記複数の  処理ユニット（１２２０）の前記１つが、前記外部装置処理ユニット（１１０）と通信接続を維持するために、前記外部装置処理ユニット（１１０）へ定期的に要求を送信し、
前記外部装置処理ユニット（１１０）は、前記複数の処理ユニット（１２２０）の前記１つとの通信接続を維持するために、前記複数の処理ユニット（１２２０）の前記１つから送られる前記要求を定期的にチェックする、
請求項３に記載のワークシステム。
【請求項７】
前記サービス応答を送信する際に、前記外部装置処理ユニット（１１０）が、先頭信号と終端信号を送信すると共に、前記外部装置ＩＤとサービスコンテンツとを前記先頭信号と終端信号との間に含める、
請求項４に記載のワークシステム。
【請求項８】
前記サービス応答を送信する際に、前記外部装置処理ユニット（１１０）が、前記複数の処理ユニット（１２２０）の前記１つの前記ユニットＩＤを、前記先頭信号と終端信号との間に含める、
請求項７に記載のワークシステム。
【請求項９】
前記少なくとも１つの外部装置（１３１）は、複数の外部装置（１３１）を含み、
前記外部装置処理ユニット（１１０）は、前記複数の処理ユニット（１２２０）の前記１つに対して、特定のアプリケーションタスクを実行するために、前記複数の外部装置（１３１）をグループ化することが可能である、
請求項１に記載のワークシステム。
【請求項１０】
前記複数の処理ユニット（１２２０）が複数の携帯電話である、
請求項１から９のいずれか一項に記載のワークシステム。
【請求項１１】
ワークシステムの動作方法であって、
前記ワークシステムは、外部装置処理ユニット（１１０）を含み、
前記外部装置処理ユニット（１１０）は、外部装置処理プロセッサ（１１１）を含み、
前記外部装置処理ユニット（１１０）は、少なくとも１つの外部装置（１３１）に接続され、それぞれがユニットＩＤを有する複数の処理ユニット（１２２０）と無線通信が可能であり、
前記動作方法は、
前記外部装置処理プロセッサ（１１１）が、前記複数の処理ユニット（１２２０）の１つから、前記少なくとも１つの外部装置（１３１）を利用するために、そのユニットＩＤと共にサービス要求を受信し、
前記外部装置処理プロセッサ（１１１）が、前記複数の処理ユニット（１２２０）の１つに対するユニットＩＤを特定し、特定されたユニットＩＤにより前記複数の処理ユニット（１２２０）の１つに対する排他的アクセスを許可し、前記特定されたユニットＩＤに基づいて、前記複数の処理ユニット（１２２０）の１つへ、前記少なくとも１つの外部装置（１３１）を使用するためのサービス応答を送信し、
前記複数の処理ユニット（１２２０）の１つによって前記外部装置処理プロセッサ（１１１）がリリースされた後に、前記外部装置処理プロセッサ（１１１）が、前記複数の処理ユニット（１２２０）の他の１つへの他のユニットＩＤによる排他的アクセスを許可することができ、前記複数の処理ユニット（１２２０）の前記他の１つへ他のサービス応答を提供することができる、
ワークシステムの動作方法。
【請求項１２】
前記外部装置処理ユニット（１１０）が外部装置ＩＤを有し、
前記動作方法が、
前記外部装置処理ユニット（１１０）が前記複数の処理ユニット（１２２０）の前記１つへ、前記外部装置ＩＤと共に前記サービス応答を送信する、
請求項１１に記載のワークシステムの動作方法。
【請求項１３】
前記サービス要求を送信する際に、前記複数の処理ユニット（１２２０）の前記１つが先頭信号と終端信号とを送信すると共に、ユニットＩＤとリクエストコンテンツとを前記先頭信号と終端信号との間に含める、
請求項１２に記載の動作方法。
【請求項１４】
前記サービス要求を送信する際に、前記複数の処理ユニット（１２２０）の前記１つが、前記外部装置ＩＤを前記先頭信号と終端信号との間に含める、
請求項１３に記載の動作方法。
【請求項１５】
前記複数の処理ユニット（１２２０）の前記１つが、前記外部装置処理ユニット（１１０）と通信接続を維持するために、前記外部装置処理ユニット（１１０）へ定期的に要求を送信し、
前記外部装置処理ユニット（１１０）は、前記複数の処理ユニット（１２２０）の前記１つとの通信接続を維持するために、前記複数の処理ユニット（１２２０）の前記１つから送られる前記要求を定期的にチェックする、
請求項１２に記載の動作方法。
【請求項１６】
前記サービス応答を送信する際に、前記外部装置処理ユニット（１１０）が、先頭信号と終端信号を送信すると共に、前記外部装置ＩＤとサービスコンテンツとを前記先頭信号と終端信号との間に含める、
請求項１２に記載の動作方法。
【請求項１７】
前記サービス応答を送信する際に、前記外部装置処理ユニット（１１０）が、前記複数の処理ユニット（１２２０）の前記１つの前記ユニットＩＤを、前記先頭信号と終端信号との間に含める、
請求項１６に記載の動作方法。
【請求項１８】
前記少なくとも１つの外部装置（１３１）は、複数の外部装置（１３１）を含み、
前記外部装置処理ユニット（１１０）は、前記複数の処理ユニット（１２２０）の前記１つに対して、特定のアプリケーションタスクを実行するために、前記複数の外部装置（１３１）をグループ化することが可能である、
請求項１１に記載の動作方法。
【発明の詳細な説明】
【背景技術】
【０００１】
電子技術と通信技術の日増しの発展に伴い、パーソナルオーディオビジュアルとパーソナル通信設備も日増しに普及している。機能や、スクリーンサイズ、携帯の利便性レベル、入力方式、バッテリ持続時間などに対する消費者の異なる要求を満足するために、市場には様々なスマートフォン、モバイルオーディオ、タブレットＰＣ、電子書籍リーダー、ナビゲーター、スマートウォッチ、スマートフィットネス器具、パーソナル医療検査測定装置などの電子通信・ワーク装置が次々と現れて尽きない。
【０００２】
特定項目機能や、ディスプレイサイズ、携帯の利便性レベル、入力方式、バッテリ持続時間などに対する消費者の異なる要求を満足するために、メーカはその当時の技術水準と、核心構造が基本的に同じであるソフトウェアとハードウェアの種々様々な組み合わせとに基づいて、電子装置、例えば、スクリーンサイズだけが異なっていて、メインボードとその他の配置が基本的に一致した大小の異なる型番のファブレットなどを出さざるを得なかった。
【０００３】
消費者は、使用の各種ニーズ（例えば、車に乗っているときの問い合わせと通信、映画鑑賞、文字処理、描画、便利な持ち歩き、ネット接続、道案内）のために、ひいては段階的な（または一時的な）ニーズだけのために、さらに多くの選択をするよう迫られている。非常に多くの選択の陰で、実際の電気回路はほぼ同じ構成である。例えば、発明者が市場のいくつかの装置（スマートフォン、モバイルオーディオ、タブレットＰＣ、電子書籍リーダー、ナビゲーター、スマートウォッチ、スマートフィットネス器具、パーソナル医療検査測定装置を含む）について分析を行ったところ、大部分の構造が似通っていることが分かった。
【０００４】
現在の電子通信装置は通常、多種の機能をできるだけ小さな空間内に集積しているので、集積化構造により製作コストが高い、製品の放熱性が悪い、バージョンアップコストが高い、といった問題がおこる。ひいては、製品をより軽便にすべきとの要求に応えるためには、いくつかの重要な機能や特徴を放棄せざるを得なかった。消費者は、異なるニーズによって同一の製品を重複して購入しなければならず、また、データ通信や変換を保証したり、通信記録をあちらこちらに記憶したり、同期化を繰り返したりする必要もあるので、ある一つの性能のニーズのために、高い代金を払って装置全体を買わなくてはならなかった。
【０００５】
既存の装置の構造の欠点は以下の通りである。
【０００６】
１．構造が重複して浪費されており、バージョンアップが困難である。
【０００７】
移動電子情報処理装置を例にする。現在の市場の各移動電子情報処理装置は基本的に同じ装置配置となっている（たとえば、ＣＰＵ＋ＧＰＵ＋ＲＯＭ＋ＲＡＭ＋マイクロホン＋受話器＋カメラ＋重力センサ＋ブルートゥース（登録商標）＋無線接続（ｗｉｆｉ）＋ディスプレイ＋タッチパネルなどで組成される部材）。つまり、消費者は、所有する二台目以降の移動電子装置については、重複した部品に無駄なお金を払っている。また、ある一つの機能に対するニーズが変わった際、その中の簡単な一部に過ぎないのに、装置全体を交換する必要があるかもしれない。新たな外部装置の登場に伴い、外部装置のバージョンアップが不可能になる。
【０００８】
２．固定化されている構造は適用性が悪い。
【０００９】
既存のパーソナルワークシステムの固定化されている構造は適用性が悪い。ＰＡＤ処理装置を例にする。現在流行しているアップル社のＩＰＡＤタブレットＰＣは、ＣＰＵ＋ＧＰＵ＋ＲＯＭ＋ＲＡＭ＋マイクロホン＋受話器＋カメラ＋重力センサ＋ブルートゥース＋無線接続（ｗｉｆｉ）＋ディスプレイ＋タッチパネルを一つに集積しており、静かなオフィスでも、混雑した公共交通機関でも、広々としたリビングルームでも、どこでも選択の余地が無く同じサイズのディスプレイで見て、同じ効果の音響を聞く。このように、同じ大きさの、携帯に便利でインテリジェンスなものであるが随意ではない組合せ装置に対して、たとえば異なる場所では、異なるサイズのスクリーンを使用することが望ましい。
【００１０】
３．既存のディスプレイの構造は情報を有効的に表示できない。
【発明の内容】
【００１１】
本発明は、全く新しいワークシステムに関し、特に、動的にパーソナルワークシステムを形成する構造と方法に関する。
【００１２】
その原則は、現在のソリッドステート構造の装置を機能分解して、動的接続の制御セントラル本体と複数の機能ユニットの情報収集処理システムと通信交換のシステムを構築することである。
【００１３】
本発明の通信情報ワークシステムは、一つまたは複数のセントラル処理ユニットと、一つまたは複数の外部装置（または外部装置ユニット）によって形成されており、一連の機能を実現でき、一連のタスクを完成する動的通信ワークシステムである。そのなかで、セントラル処理ユニットはデータ収集処理機能を備え、外部装置（または外部装置ユニット）はある特定の機能実行を具備し、一つまたは複数の外部装置（または外部装置ユニット）はセントラル処理ユニットと相互に識別してリンクしてデータ交換を行うことができ、セントラル処理ユニットの各データ（または処理後の各データ）やコマンドや命令を受信できるとともに、セントラル処理ユニットから出力された各データ（または処理後の各データ）やコマンドや命令を実行または処理する。
【００１４】
一つまたは複数の外部装置とセントラル処理ユニットとが互いに識別して構築したリンクは、距離に制限されたものであって良いし、ひいては排他的なリンクを具備しても良い。いくつかの専署性または守秘性の外部装置は排他性を備えるはずであり、この前のリンク情報を切断／排除する機能要求が必須である。通信ワークシステムを形成する前に、セントラル処理ユニットと外部装置は、ある一連のタスクを単独で完成することができず、一つのセントラル処理ユニットと一つまたは複数の外部装置とをペアリングしてワークシステムを形成した後、ようやくこの一連のタスクを共同で完成可能である。
【００１５】
本発明のパーソナルワークシステムは、既存の電子装置のバックグラウンドの機能部分を統合して「セントラル処理ユニット」に集積するか、或いはバックグラウンドの機能が選択した統合を有すると共に「外部装置処理ユニット」上に集積して、多種の外部設備が動的に共用共有できるようにする。また、装置の使用者（消費者）の異なるパーソナルニーズのパーソナル化に対して、パーソナルワークシステムの多種の外部装置を更に専業化と簡略化させる。「セントラル処理ユニット」と「外部装置」を組み合わせて、携帯に便利で、動的に組み合わせ可能で、調節可能なパーソナル通信情報処理システムにする。外部装置は心が欲するままに自由に組み合わせ可能であり、時代遅れにならず、世界各地で共用できる。使用者はパーソナルな「セントラル処理ユニット」を持ち出すだけで、思うままに外部のアプリケーション装置を取ることができる。
【００１６】
本発明によれば、使用者が「セントラル処理ユニット」を一度購入し、個人的な好みの変化に照らして任意の「外部装置」を選択して、手に入れる、或いは「外部装置」に接近する、或いは「外部装置」を管理する外部装置処理ユニット（または外部装置処理サービスセンター）に接近すれば、使用者は心の欲するままに「外部装置」を組み合わせたり使用したりすることが可能である。例えば、使用者は、「時計外部装置」、「メガネフレーム外部装置」、「携帯電話外部装置」、「事務机外部装置」、「車載外部装置」、「リビングルームテレビ」、「ベッドルームプロジェクション」等の各種外部装置を有することが可能である。各外部装置はどれも複雑で高価な内部構造を放棄しており、最も簡素で最も簡単な設備になっており、それらは同じ一つの集積計算センターを有する「セントラル処理ユニット」を共用するか、或いは異なる「セントラル処理ユニット」をシェアする。使用者は現在の一台ごとの移動装置のかなりの一部の製造費を省くことができる。「セントラル処理ユニット」と「外部装置」のバージョンアップはさらに便利で、さらに費用が安くなる。即ち、計算センターを統合して集積した後、使用者は同等のコストで、倍の速度と倍のメモリの「セントラル処理ユニット」をもたらすことが可能で、異なる状況に基づいて、同タイプの外部装置を配置可能である。例えば在宅時には比較的大きなスクリーンの「外部装置」を配置するが、旅行の際に比較的小さなスクリーンの「外部装置」を配置する。
【００１７】
従来のポータブル式タブレットＰＣに比べ、本発明の「セントラル処理ユニット」は、ディスプレイ、タッチパネル、キーボード、マウス、マイクロホン、受話器、スピーカ、カメラ、重力センサ装置などの機能部材を取り除くので、本体の体積は大幅に縮小される。取り除かれた機能部材は、独立しているか或いは複数の機能部材を組み合わせて構成した「外部装置」に分散化される。その中で、本機能にとって必須なプロセッサ、ＲＯＭ、ＲＡＭ、有線/無線接続、バッテリまたは電源、だけであり、格別に簡素化されている。また、相応に、機能の「外部装置」はその他の部材の制約を受けない条件で究極に発展可能であり、例えば、外部装置のスクリーンはユーザのニーズに基づいて極めて大きくても極めて小さくても良い。本発明に開示の動的な組み合わせ、調整が可能なパーソナルワークシステムは、従来の携帯式タブレットＰＣに比べてさらに便利であり、さらに手軽であり、さらにパーソナル化されている。
【００１８】
本発明は、携帯しやすく、動的な組み合わせが可能で、調整が可能な、パーソナル通信情報、ワークシステムを提供しており、それは、セントラルコントロールユニットと一つまたは複数の外部装置を管理する外部装置処理ユニットとを備える。本発明によれば、セントラルコントロールユニットは、外部装置を識別する部材と操作システムを備え、多種の外部装置を識別するとともに、識別した多種の外部装置をつなげて一つのワークシステムにする。本発明の通信ワークシステムはさらに通信インターフェースを備え、前記セントラルコントロールユニットと外部装置（またはその他の外部装置）の部材との通信に用いられる。例えば、弱（または近距離）通信インターフェースは、前記セントラルコントロールユニットと外部装置との通信に用いられ、強（または中・遠距離）通信インターフェースは、前記セントラルコントロールユニットと外部ノードとの通信に用いられる。弱通信インターフェースはブルートゥースを含み、強通信インターフェースはＷｉ−Ｆｉ接続、Ｉｎｔｅｒｎｅｔ接続、ＬＡＮ接続、無線電話接続を含む。
【００１９】
本発明は、製造メーカと多くの消費者に対して、斬新で、全範囲的で、全方位的で、最高レベルに集積化されており、専業化されており、通用化されている技術方法を提供し、全領域に斬新で革命的な簡潔と節約をもたらす。
【００２０】
以上の目的のために、本発明は、外部装置を識別する部材を備え、多種の外部装置を識別するとともに、識別した多種の外部装置を一つのワークシステムにつなげるセントラルコントロールユニットを備えるワークシステムを提供する。
【図面の簡単な説明】
【００２１】
【図１】本発明の新型の通信ワークシステムの一つの実施例１００である。
【図２Ａ】ユーザテーブル２０１である。
【図２Ｂ】一つまたは複数のセントラル処理ユニット１２０で使用される個別の外部装置１３１（１３１．１、１３１．２、・・・、１３１．ｎ）である。
【図２Ｃ】一つまたは複数のセントラル処理ユニット１２０で使用される外部装置グループ（装置グループ１、装置グループ２、・・・、装置グループｎ）の外部装置処理ユニット１１０（または外部装置処理サービスセンター１１０´）端での使用状態テーブル（または状態追跡）２０３である。
【図２Ｄ】あるセントラル処理ユニット１２０が使用する一つまたは複数の外部装置処理ユニット１１０（または外部装置処理サービスセンター１１０´）中の外部装置１３１（１３１．１、１３１．２、・・・、１３１．ｎ）または外部装置グループ（装置グループ１、装置グループ２、・・・、装置グループｎ）の、セントラル処理ユニット１２０端での使用状態テーブル（または状態追跡）テーブル２０４である。
【図３】本発明の一つの通信ワークシステム３００の構成概略図である。
【図４】本発明の一つの通信ワークシステム４００の構成概略図である。
【図５】本発明の一つの通信ワークシステム５００の構成概略図である。
【図６】本発明の一つの通信ワークシステム６００の構成概略図である。
【図７】本発明の一つの通信ワークシステム７００の構成概略図である。
【図８】本発明の一つの通信ワークシステム８００の構成概略図である。
【図９Ａ】本発明の一つの通信ワークシステム９０１の構成概略図である。
【図９Ｂ】本発明の一つの通信ワークシステム９０２の構成概略図である。
【図９Ｃ】本発明の一つの通信ワークシステム９０３の構成概略図である。
【図９Ｄ】本発明の一つの外部装置集積ユニット９０５の構成概略図である。
【図１０Ａ】複数のセントラル処理ユニット１２０と一つの外部装置処理ユニット１１０を備えて一つのワークシステム１００１を形成することが可能な構成を示す概略図である。
【図１０Ｂ】一つのセントラル処理ユニット１２０と複数の外部装置処理ユニットを備えて一つのワークシステム１００２を形成することが可能な構成を示す概略図である。
【図１０Ｃ】本発明の一つのワークシステム１００３の内部構造を示す概略図である。
【図１１】本発明の新型の通信ワークシステム１００を操作するフロー図１１００である。
【図１２】本発明の新型の通信ワークシステムの別の実施例１２００である。
【図１３】本発明の表示システム１３００である。
【図１４】本発明の表示システム１４００である。
【図１５】図１３に示すような表示システム１３００のフロー図１５００である。
【図１６Ａ】表示装置１２６１上に表示される情報フレーム１６８０である。
【図１６Ｂ】表示装置１２６１上に表示される情報フレーム１６８０´である。
【図１７】図１３に示すような表示システム１４００のフロー図１５００である。
【図１８】図１の外部装置プロセッサ１１１または図１０Ｃのサーバ１０１４の模範的な構成である。
【図１９】図１のセントラルプロセッサ１２１の模範的な構成である。
【発明を実施するための形態】
【００２２】
本発明は、新型の通信ワークシステムを開示しており、特に、動的な組み合わせが可能な情報システムの革新的な構造と方法に関する。
【００２３】
図１は、本発明の新型の通信ワークシステムの一つの実施例１００である。図１に示すように、本発明の新型の通信ワークシステム１００は、セントラル処理ユニット１２０と、外部装置処理ユニット１１０（または外部装置処理サービスセンター１１０´）を備え、セントラル処理ユニット１２０と外部装置処理ユニット１１０（または外部装置処理サービスセンター１１０´）は無線又は有線の方式で互いに通信ができる。図１０Ａに示すように、複数のユーザに対して開放しているかあるいは複数の外部装置を配置しているシステムにおいて、外部装置処理ユニット１１０は一つのサーバ又は一つのサーバシステム（即ち、外部装置処理サービスセンター１１０´）であってもいい。外部装置処理ユニット１１０または外部装置処理サービスセンター１１０´は複数のセントラル処理ユニット１２０（１２０．１、１２０．２・・・、１２０．ｍ）のためにサービスすることができる。図１０Ｂに示すように、一つのセントラル処理ユニット１２０は外部装置処理ユニット１１０（１１０．１、１１０．２、・・・、１１０．ｎ）と通信を行うことができる。図１０Ｂに示すように、一つのセントラル処理ユニット１２０は、複数の外部装置処理ユニット１１０（または外部装置処理サービスセンター１１０´）のサービスを得ることができる。
【００２４】
セントラル処理ユニット１２０は、セントラルプロセッサ１２１と、セントラルプロセッサ１２１とつながっているセントラル通信電気回路１２２（無線でも有線でもよい）と、セントラルプロセッサ１２１とつながっているセントラルＩＤ回路１２３（セントラル処理ユニット１２０の単独のＩＤを記憶するのに用いられる）と、セントラルプロセッサ１２１とつながっている外部通信回路１２５と、セントラルプロセッサ１２１とつながっているセントラル操作表示装置１２４と、セントラルプロセッサ１２１とつながっているデータ収集インターフェース１４０と、データ収集インターフェース１４０とつながっているデータ収集器１４２と、を備える。データ収集インターフェース１４０は使用者の身辺情報を収集でき、データ収集インターフェース１４０は収集した使用者の身辺情報をセントラルプロセッサ１２１へ送信する。セントラルプロセッサ１２１は、使用者の身辺の暗号情報を外部装置処理ユニット１１０（または外部装置処理サービスセンター１１０´）へ向けて送信でき、外部装置処理ユニット１１０（または外部装置処理サービスセンター１１０´）が暗号情報に対して照合を行って通過した後で、ようやくセントラル処理ユニット１２０がそのシステムに入るのを許可して、使用安全性を高める。セントラル処理ユニット１２０の外部通信回路１２５は、セントラルプロセッサ１２１（またはセントラル処理ユニット１２０）を外部ネットワークノードに通信接続し、外部ネットワークノードは、Ｉｎｔｅｒｎｅｔ１３５、ＷｉＦｉ１３６、ＬＡＮ１３７、クラウド（またはクラウドサービスプロバイダ）１３８、電話サービスプロバイダ１３９を含む。
【００２５】
セントラル表示装置１２４の電気回路を最大限に簡素化し、消費電力を減少させるために、セントラル操作表示装置１２４は最も簡単な白黒液晶表示パネルで良く、最も簡単な表示機能さえ満たせばそれでよい。外部通信回路１２５は複数の外部ノードと接続し、外部ノードは、Ｉｎｔｅｒｎｅｔ、ＷＩＦＩ、ＬＡＮ、クラウド、携帯電話または電話を含む。セントラルプロセッサ１２１はメモリ１２６を備え、そこにセントラル管理操作システム及びプログラムを記憶する。セントラル管理操作システム及びプログラムを実行して以降、セントラルプロセッサ１２１は、セントラル処理ユニット１２０のその他の回路の操作とコントロールが可能となる。
【００２６】
外部装置処理ユニット１１０は、外部装置プロセッサ１１１と、外部装置プロセッサ１１１とつながっている外部装置インターフェース電気回路１０４と、外部装置プロセッサ１１１とつながっている外部装置通信電気回路１０２（無線の方式でも有線の方式でもよい）と、外部装置プロセッサ１１１とつながっている外部装置ＩＤ記憶回路１０１（外部装置処理ユニット１１０または外部装置処理サービスセンター１１０´の独自のＩＤを記憶するのに用いられる）と、外部装置プロセッサ１１１とつながっている外部装置管理表示装置１０３と、外部装置プロセッサ１１１とつながっている外部通信回路１５６と、を備える。外部通信回路１５６は、Ｉｎｔｅｒｎｅｔ、ＷｉＦｉ、ＬＡＮ１６０と接続し、外部装置処理ユニット１１０と、ウェブサイト、データサーバ、データセンター１２０４とを通信接続させる。外部装置インターフェース回路１０４は、複数の外部装置１３１（１３１．１、１３１．２、・・・、１３１．ｎ）と接続し、外部装置は、キーボード、マウス、マイクロホン、スピーカ、ディスプレイ、スクリーン、スキャナなどを含んでよい。外部装置プロセッサ１１１はメモリ１０６を備え、そこに外部装置管理操作システム及びプログラムを記憶する。外部装置管理操作システム及びプログラムを実行して以降、外部装置プロセッサ１１１は、外部装置処理ユニット１１０のその他の回路の操作とコントロールが可能となる。外部装置管理表示装置１０３を介して、システム管理者は、ニーズに応じて外部装置処理ユニット１１０を設置することができる。例えば、外部装置１３１（１３１．１、１３１．２、・・・、１３１．ｎ）を増加したり、外部装置１３１（１３１．１、１３１．２、・・・、１３１．ｎ）のインターフェース回路のためのパラメータを設置したりすることができる。
【００２７】
本発明において、セントラル処理ユニット１２０と外部装置処理ユニット１１０（または外部装置処理サービスセンター１１０´）のＩＤは、相互ペアリング、相互識別、相互認証、に用いられる。セントラル処理ユニット１２０の外部通信回路１２５のように、外部装置処理ユニット１１０（または外部装置処理センター１１０´）の外部通信回路１５６は外部装置プロセッサ１１１（または外部装置処理ユニット１１０）を外部ネットワークノードと通信してつなげ、外部ネットワークノードは、Ｉｎｔｅｒｎｅｔ、ＷｉＦｉ、ＬＡＮ、クラウド（またはクラウドサービスプロバイダ）、電話サービスプロバイダを含む。外部装置処理ユニット１１０は外部通信回路１５６を備え、セントラル処理ユニット１２０の外部通信回路１２５を省くことができ、セントラル処理ユニット１２０は外部装置処理ユニット１１０（外部装置処理センター１１０´）を介して外部ネットワークノードと通信でき、セントラル処理ユニット１２０をさらに小型化することができる。また、外部通信回路１５６を外部装置処理ユニット１１０（外部装置処理センター１１０´）に設けるとともに、外部通信回路１２５をセントラル処理ユニット１２０から省略し、新たに世に出た通信プロトコルまたは技術を付加する必要がある際、外部装置処理ユニット１１０の外部通信回路１５６を変えるだけでよく、セントラル処理ユニット１２０を変える必要はない。
【００２８】
セントラル処理ユニット１２０と外部装置処理ユニット１１０は、セントラル通信回路１２２と外部装置処理ユニット１１０の外部装置通信回路１０２を介して互いに通信し、通信方式は、無線であっても有線であってもよい。応用外部装置１３１（１３１．１、１３１．２、・・・１３１．ｎ）の間はデータ交換がなく、応用外部装置１３１はセントラル処理ユニット１２０へデータまたは命令を送信するかあるいはセントラル処理ユニット１２０より転送してきたデータまたは命令を受信するだけである。セントラル処理ユニット１２０は応用外部装置１３１（１３１．１、１３１．２、・・・１３１．ｎ）により伝えられたデータまたは命令に対して処理を行った後、結果を生成し、その後、一つまたは複数の応用外部装置（１３１．１、１３１．２、・・・１３１．ｎ）へ送信して実行可能である。応用外部装置１３１（１３１．１、１３１．２、・・・１３１．ｎ）の機能は重複可能である（例えば、セントラル処理ユニット１２０が送信した通信情報、データと命令を複数のスクリーンに表示する）。複数の応用外部装置１３１（１３１．１、１３１．２、・・・１３１．ｎ）は外部装置グループ（例えば、マウス、キーボード、ディスプレイ、スピーカ、マイクロホン）を組み合わせることができ、組み合わせて１セットにされた応用外部装置１３１（１３１．１、１３１．２、・・・１３１．ｎ）を一緒に組み合わせ、外部装置を一つの全体として、セントラル処理ユニット１２０とペアリング通信する。応用外部装置１３１（１３１．１、１３１．２、・・・１３１．ｎ）は異なる時間帯で複数のセントラル処理ユニット１２０とペアリング使用が可能である。しかし、同じ時間帯においては、同じ応用外部装置１３１（１３１．１、１３１．２、・・・１３１．ｎ）または同じ外部装置グループが一つのセントラル処理ユニット１２０だけとペアリング通信が可能である。
【００２９】
別の実施例として、セントラル処理ユニット１２０において、セントラル通信回路１２２と、セントラルＩＤ回路１２３と、外部通信回路１２５とは、セントラルプロセッサ１２１に集積可能である。同様に、外部装置処理ユニット１１０において、外部装置通信電気回路１０２と、外部装置請求ＩＤ電気回路１０１と、外部装置インターフェース回路１０４とは、外部装置プロセッサ１１１に集積可能である。
【００３０】
図１において、セントラル処理ユニット１２０のＩＤと外部装置処理ユニット１１０（または外部装置処理サービスセンター１１０´）の無線通信は、アンテナ１３３とアンテナ１３４を介して両方向の破線接続１５１で表示されており、有線通信は両方向の実線接続１５２で表示される。
【００３１】
図２Ａはユーザテーブル２０１であり、外部装置処理ユニット１１０（または外部装置処理サービスセンター１１０´）に、外部装置処理ユニット１１０を使用することが許可されたセントラル処理ユニット１２０のＩＤを記憶するのに用いられる。
【００３２】
図２Ｂは、一つまたは複数のセントラル処理ユニット１２０で使用される個別の外部装置１３１（１３１．１、１３１．２、・・・１３１．ｎ）の、外部装置処理ユニット１１０（または外部装置処理サービスセンター１１０´）端での使用状態テーブル（または状態追跡）２０２であり、システムに入るセントラル処理ユニット１２０（１２０．１、１２０．２、・・・、１２０．ｍ）及びシステムに入れられたセントラル処理ユニット１２０の外部装置１３１の状態を示すのに用いられる。具体的に、使用状態テーブル２０２の第一列は、セントラル処理ユニットＩＤ（使用者のＩＤを表示するのに用いることができる）である。使用状態テーブル２０２の第二列は、外部装置１３１のＩＤ（外部装置を表示するのに用いることができる）である。使用状態テーブル２０２の第三列は、外部装置１３１の状態であり、アイドル、ロック、動作の３つの状態を含む。
【００３３】
図２Ｃは、一つまたは複数のセントラル処理ユニット１２０で使用される外部装置グループ（装置グループ１、装置グループ２、・・・、装置グループｎ）の、外部装置処理ユニット１１０（または外部装置処理サービスセンター１１０´）端での使用状態テーブル（または状態追跡）２０３であり、システムに入るセントラル処理ユニット１２０（１２０．１、１２０．２、・・・、１２０．ｍ）及びシステムに入れられたセントラル処理ユニット１２０の外部装置グループを使用する状態を示すのに用いられる。具体的に、使用状態テーブル２０３の第一列は、某セントラル処理ユニットＩＤ（使用者のＩＤを表示するのに用いることができる）である。使用状態テーブル２０３の第二列は、外部装置グループのＩＤであり、使用状態テーブル２０３の第三列は、外部装置グループの各装置のＩＤ（外部装置を表示するのに用いることができる）である。使用状態テーブル２０３の第四列は、外部装置グループの状態であり、アイドル、ロック、動作の３つの状態を含む。外部装置グループ使用状態テーブル２０３は、セントラル処理ユニット１２０が外部装置処理ユニット１１０（または外部装置処理サービスセンター１１０´）に外部装置を請求する際、一回請求で一つの装置グループにおけるすべての装置を選択できることをさせる。このように、外部装置処理ユニット１１０（または外部装置処理サービスセンター１１０´）は、最適化された使用方式を用いることにより外部装置を組み合わせることができる。グループ選択の機能がないならば、複数のセントラル処理ユニット１２０（１２０．１、１２０．２、・・・、１２０．ｍ）が一つの外部装置処理ユニット１１０（または外部装置処理サービスセンター１１０´）に外部装置サービスを請求する際、あるセントラル処理ユニット１２０が最適化された外部装置グループを選択するのは非常に難しい。
【００３４】
外部装置または外部装置グループが実行する前、外部装置処理ユニット１１０（または外部装置処理サービスセンター１１０´）は、外部装置の使用状態テーブル２０２の第一列または外部装置の使用状態テーブル２０３の第一列へセントラル処理ユニットのＩＤ（セントラルＩＤ１、セントラルＩＤ２、セントラルＩＤ３、・・・セントラルＩＤｎ）を入れ、ＩＤ（セントラルＩＤ１、セントラルＩＤ２、セントラルＩＤ３、・・・セントラルＩＤｎ）を備えるすべてのセントラル処理ユニットが外部装置処理ユニット１１０（または外部装置処理サービスセンター１１０´）の相応外部装置または外部装置グループを使用中であることを表示する。以降の使用工程において、受信したセントラル処理ユニットのＩＤに基づいて、テーブルの相応な一行の内容を更新する。状態テーブル２０２と状態テーブル２０３は、現在外部装置処理ユニット１１０（または外部装置処理サービスセンター１１０´）を使用している一つまたは複数のセントラル処理ユニット１２０を反映した。
【００３５】
図２Ｄは、某セントラル処理ユニット１２０が使用する一つまたは複数の外部装置処理ユニット１１０（または外部装置処理サービスセンター１１０´）中の外部装置１３１（１３１．１、１３１．２、・・・、１３１．ｎ）または外部装置グループ（装置グループ１、装置グループ２、・・・、装置グループｎ）の、該セントラル処理ユニット１２０端での使用状態テーブル（または状態追跡）テーブル２０４である。具体的に、使用状態テーブル２０４の第一列は、外部装置処理ユニット（または外部装置処理サービスセンター）のＩＤである。使用状態テーブル２０４の第二列は、外部装置または外部装置グループのＩＤ（請求されたあるいは使用された外部装置または外部装置グループを表示するのに用いることができる）である。使用状態テーブル２０４の第三列は、請求内容である。使用状態テーブル２０４の第四列は、操作状態であり、拒絶、操作結果待ち、完成の３つの状態を含む。セントラル処理ユニット１２０が外部装置処理ユニット１１０（または外部装置処理サービスセンター１１０´）からの請求許可を受信した後、セントラル処理ユニット１２０が該外部装置処理ユニット１１０（または外部装置処理サービスセンター１１０´）のＩＤを使用状態テーブル２０４の第一列に入れる。以降の使用過程において、受信した外部装置または外部装置グループのＩＤに基づいて、テーブルの相応な一行の内容を更新する。状態テーブル２０４は、セントラル処理ユニット１２０が現在使用している一つまたは複数の外部装置処理ユニット１１０（または外部装置処理サービスセンター１１０´）を反映した。
【００３６】
図２Ａ〜Ｃのテーブルは、外部装置処理ユニット１１０（または外部装置処理サービスセンター１１０´）に記憶され、外部装置処理ユニット１１０（または外部装置処理サービスセンター１１０´）に一つまたは複数のセントラル処理ユニット１２０の該外部装置処理ユニット１１０（または外部装置処理サービスセンター１１０´）に対する通信と使用状況を検査、追跡できるようにする。図２Ｄのテーブルは、セントラル処理ユニット１２０に記憶され、セントラル処理ユニット１２０に一つまたは複数の外部装置処理ユニット１１０（または外部装置処理サービスセンター１１０´）に対する通信と使用状況を検査、追跡できるようにする。状態使用（または状態追跡）テーブル２０１〜２０４の設置は、某セントラル処理ユニット１２０が複数の外部装置処理ユニット１１０（または外部装置処理サービスセンター１１０´）と通信できるようにし、また、某外部装置処理ユニット１１０（または外部装置処理サービスセンター１１０´）が複数のセントラル処理ユニット１２０と通信できるようにもする。
【００３７】
図３は、本発明の一つの通信ワークシステム３００を示しており、一つのセントラル処理ユニット１２０と一つの外部装置処理ユニット１１０によって組成される。セントラル処理ユニット１２０と外部装置処理ユニット１１０とが通信する（無線の方式でも有線の方式でもよい）。セントラル処理ユニット１２０はその外部通信回路１２５を介して外部ネットワークノードと通信し、外部ネットワークノードは無線電話通信サービスプロバイダ１６１と、インターネット／クラウド処理サービスプロバイダ１６２、ＬＡＮ１６３とを含んで通信を行う。また、その通信回路１２２を介して、セントラル処理ユニット１２０と外部装置処理ユニット１１０（または外部装置処理サービスセンター１１０´）と通信し、それによって、外部装置１、外部装置２、外部装置３、・・・、外部装置ｎと接続する。よって、図３のシステムにおいて、セントラル処理ユニット１２０にとって、外部装置処理ユニット１１０（または外部装置処理サービスセンター１１０´）及び応用外部装置１３１（１３１．１、１３１．２、・・・、１３１．ｎ）が一つの内部ネットワーク３０１を組成し、無線電話通信サービスプロバイダ１６１と、インターネット／クラウド処理サービスプロバイダ１６２、ＬＡＮ１６３は外部ネットワーク３０２である。内部ネットワーク３０１を介して、セントラル処理ユニット１２０は異なる外部装置１、外部装置２、外部装置３、・・・、外部装置ｎを選択することが可能であり、一項または複数項のタスクを完成できる一つのワークシステムを形成できる。その外部ネットワーク３０２を介して、複数のセントラル処理ユニット１２０（１２０．１、１２０．２、・・・、１２０．ｍ）は互いに接続でき、相互に通信する（図１４に示す）。また、図３に示す通信ワークシステム３００中の外部装置処理ユニット１１０自身が一つの携帯移動装置であっても良く、例えば、キーボード、マウス、ハードディスク、一つの小さなスクリーンといた幾つかのポータブル外部装置に専用接続し、旅行時に使用するのに便利である。
【００３８】
図４は、本発明の一つの通信ワークシステム４００を示している。ワークシステム３００と同様に、ワークシステム４００は、一つのセントラル処理ユニット１２０と一つの外部装置処理ユニット１１０によって組成される。セントラル処理ユニット１２０と外部装置処理ユニット１１０とが通信する（無線の方式でも有線の方式でもよい）が、セントラル処理ユニット１２０は外部ネットワークノードと通信しない。即ち、本発明のワークシステムにおいて、内部ネットワーク３０１と外部ネットワーク３０２は、別々に独立して動作可能である。図３に示すワークシステムにおいて、外部ネットワーク３０２を取り除いた後、該ワークシステムは独立して動作可能である。通信ワークシステム４００において、セントラル処理ユニット１２０は外部装置処理ユニット１１０を介して外部ネットワークノードと通信可能である。
【００３９】
図５は、本発明の一つの通信ワークシステム５００を示しており、外部装置処理ユニット１１０（又は外部装置処理サービスセンター１１０´）を介して、セントラル処理ユニット１２０がある特定の機能または用途を具備する複数の外部装置と接続し、各種外部装置は、人体生物データ収集ＥＣＧ応用外部装置、ＧＰＳ収集応用外部装置、フラッシュメモリ／光ディスク／メディアデータ応用外部装置、支払応用外部装置、イヤホン／スピーカ／音声出力応用外部装置、マイクロホン／音声収集応用外部装置、ゲームコントロール／マウス／キーボード応用外部装置、ペンタブレット応用外部装置、スクリーン／眼鏡／ディスプレイ／プロジェクタ／テレビ応用外部装置、スキャナ／カメラ／撮影レンズ／ビデオ収集応用外部装置、透視／超音波／応用外部装置、バーコードスキャナ応用外部装置、無線信号収集応用外部装置、等を含む。必要に応じて、セントラル処理ユニット１２０は、多種の外部装置から任意に組み合わせを選択することができる。
【００４０】
図６は、本発明の一つの通信ワークシステム６００を示している。図６に示すように、セントラル処理ユニット１２０をコントロールして外部装置処理ユニット１１０へ外部装置（ディスプレイ、マウス、キーボード、スキャナを含む）使用を請求し、セントラル処理ユニット１２０をパーソナルコントロールして外部装置処理ユニット１１０とペアリングコールに応答した後、検証情報を互いに交換する。検証によって、ペアリングを実現する。セントラル処理ユニット１２０をコントロールして、ディスプレイ、マウス外部装置、キーボードとスキャナとペアリングしてつなげた後、一つの通信ワークシステム６００を構成する。その外部通信回路１２５を介して、セントラル処理ユニット１２０をパーソナルコントロールしてインターネットクラウド処理サービスプロバイダと通信し、スキャンしたファイルをインターネットクラウド処理サービスプロバイダへ送信して記憶する。
【００４１】
図７は、本発明の一つの通信ワークシステム７００を示している。図７に示すように、セントラル処理ユニット１２０をコントロールして外部装置処理ユニット１１０へ外部装置（ディスプレイ、マウス、キーボード、マイクロホン、イヤホンを含む）使用を請求し、セントラル処理ユニット１２０をコントロールして外部装置処理ユニット１１０とペアリングコールに応答した後、検証情報を互いに交換する。検証によって、ペアリングを実現する。セントラル処理ユニット１２０をパーソナルコントロールして、ディスプレイ、マウス外部装置、キーボード、マイクロホン、イヤホンとつなげた後、通信ワークシステム７００を構成する。その外部通信回路１２５を介して、セントラル処理ユニット１２０をコントロールして、無線電話通信サービスプロバイダとつなげ、電話をかける操作を行う。
【００４２】
図８は、本発明の一つの通信ワークシステム８００を示している。図８に示すように、セントラル処理ユニット１２０をコントロールして外部装置処理ユニット１１０へ外部装置（ディスプレイ、マウス、キーボード、ゲームコントロール外部装置を含む）使用を請求し、セントラル処理ユニット１２０をパーソナルコントロールして外部装置処理ユニット１１０とペアリングコールに応答した後、検証情報を互いに交換する。検証によって、ペアリングを実現する。セントラル処理ユニット１２０をコントロールして、ディスプレイ、マウス外部装置、キーボード、ゲームコントロール外部装置とつなげた後、一つの通信ワークシステム８００を構成する。その外部通信回路１２５を介して、セントラル処理ユニット１２０をコントロールして、インターネットクラウドサービスプロバイダと繋がり、ゲームプレイの操作を行う。
【００４３】
図９Ａは本発明の一つの通信ワークシステム９０１を示している。図９Ａに示すように、セントラル処理ユニット１２０をコントロールして外部装置処理ユニット１１０へ安全認証外部装置（パーソナル生物データ収集ＥＣＧ外部装置、人体生物データ収集外部装置、自動認証外部装置を含む）使用を請求し、一つの素早く、安全性と信頼性のグレードが高い外部装置ペアリングと認証識別の組み合わせを構築する。例えば、先ず、一つの人体生物データ収集外部装置をオーナーのパーソナルコントロールセントラルとペアリングして、オーナーの生物データ、例えば、心拍数、血中酸素量、心電図ＥＣＧ、オーナーの指紋などの生物情報を収集し、分析を経てオーナーの生物指紋を記録して形成する。操作者（オーナー）が、一つの人体生物データ収集ＥＣＧ外部装置を内蔵したその他の外部装置を手に持つ／接触する際、操作者の人体生物データは収集されると共にセントラル処理ユニット１２０へ転送させて、セントラル処理ユニットをコントロールして検知データを分析して記憶されている生物指紋と比較して、ひいては実時間データとの比較が可能であり、一致を確認した後、セントラル処理ユニットをコントロールして該外部装置の加入請求を自動で受け入れることができる。このハードウェアセットは、一セット（外部装置＋人体生物データ収集外部装置＋バッテリ）の自動ペアリング・安全な外部装置グループを組成することが可能である。この機能は、オンライン支払や安全なサインアップ等の分野に用いることができる。パーソナルコントロールセントラルは、使用者が一つの外部装置を取れば直ぐに使用可能になることを実現し、ひいては、今しがた停止したところから継続開始して小説の読み終わり又はプログラムの見終わりを継続することが可能である。さらに高いレベルで情報を秘密にする必要性のために、通常、さらに正確なサインアップのためにユーザの真実性が求められ、金融、セキュリティ、国防分野に用いられ、三陰交の人体データ量はその他の部位のデータ量より多く、正確で、位置が更に秘密で、収集外部装置を装着することがさらに便利であるので、この時、パーソナルコントロールセントラルの、緻密にマッチングした人体情報収集外部装置により、使用者の足首の部位の三陰交のつぼの心電図情報を収集する。使用者がマッチングする必要がある機能外部装置に手でタッチする際、該機能外部装置は、使用者と接触する筋肉と皮膚により、使用者の人体情報を収集し、パーソナルコントロールセントラルが収集したリアルタイムデータと比較し、それによって、タッチした者とパーソナルコントロールセントラル携帯者が同一人物かどうか断固たる精確な判断をし、それによってさらに高レベルの識別認証を実現する。
【００４４】
図９Ｂは、本発明の一つの通信ワークシステム９０２を示しており、一つが多くと繋がる方式で、複数の外部装置処理ユニット１１０．１、１１０．２、１１０．３に同時に接続するワークシステムのデモンストレーションである。図９Ｂに示すように、講演の講師がセントラル処理ユニット１２０を携帯してコントロールし、外部装置処理ユニット１１０．１へ講演外部装置（マウス、キーボード、マイクロホン、個人用ディスプレイを含む）の使用を請求し、講演の講師のコントロールによってセントラル処理ユニット１２０がマウス、キーボード、マイクロホン、個人用ディスプレイ外部装置とつながった後、一つの講演ワーク外部装置グループを構成する。講演の講師はさらにセントラル処理ユニット１２０を使用して、外部装置処理ユニット１１０．２に向けて講堂の聴衆外部装置（聴衆大ディスプレイを含む）の使用を請求し、講演の講師のコントロールによってセントラル処理ユニット１２０が聴衆大ディスプレイとつながった後、一つの講堂聴衆外部装置グループを構成する。講演の講師は更にセントラル処理ユニット１２０を使用してコントロールし、外部装置処理ユニット１１０．３に向けてリモート聴衆外部装置（リモート表示外部装置１、表示外部装置２、・・・、表示外部装置ｎを含む）の使用を請求し、講演の講師のコントロールによってセントラル処理ユニット１２０がリモート表示外部装置１、表示外部装置２、・・・、表示外部装置ｎとつながった後、一つのリモート聴衆外部装置グループを構成する。３つの外部装置処理ユニット１１０．１、外部装置処理ユニット１１０．２、外部装置処理ユニット１１０．３によって、講演の講師のコントロールによってセントラル処理ユニット１２０が通信ワークシステム９００を形成し、講演の講師に講演の授業操作を実行させる。
【００４５】
図９Ｃは、本発明の一つのワークシステム９０３を示しており、一つが多くと繋がる方式で、複数の外部装置処理ユニット１１０．１、１１０．２、１１０．３に同時に接続するワークシステムのデモンストレーションである。図９Ｃに示すように、セントラル処理ユニット１２０は、外部装置処理ユニット１１０．１に向けて基本外部装置（マウス、キーボード、マイクロホン、スピーカ、ディスプレイを含む）の使用を請求し、セントラル処理ユニット１２０がマウス、キーボード、マイクロホン、スピーカ、ディスプレイ外部装置とつながった後、基本ワーク外部装置グループを構成する。セントラル処理ユニット１２０はさらに外部装置処理ユニット１１０．２に向けてプリンタ外部装置の使用を請求し、セントラル処理ユニット１２０がプリンタ外部装置とつながった後、ワークシステム９０２は印刷の機能を有する。セントラル処理ユニット１２０はさらに外部装置処理ユニット１１０．３に向けて画像入力外部装置の使用を請求し、セントラル処理ユニット１２０が画像入力外部装置とつながった後、ワークシステム９０２は画像入力の機能を有する。３つの外部装置処理ユニット１１０．１、外部装置処理ユニット１１０．２、外部装置処理ユニット１１０．３により、セントラル処理ユニット１２０が通信ワークシステム９０２を形成し、使用者は印刷と画像入力の操作を行うことができる。図９Ｃにおいて、セントラル処理ユニット１２０は、３つの外部装置処理ユニット１１０．１、１１０．２、１１０．３と同時に通信する。このような設置の下では、３つの外部装置処理ユニット１１０．１、１１０．２、１１０．３は全て、自己の外部装置処理ユニットのＩＤを有しており、セントラル処理ユニット１２０とのペアリングに使用される。
【００４６】
図９Ｄは、外部装置集積ユニット９０５を示している。図９Ｄに示すように、外部装置集積ユニット９０５は、単独の外部装置又は外部装置グループ９６２と外部装置処理ユニット９６４（または１１０）を含んでいる。外部装置は、プリンタ外部装置、スキャナ外部装置、又は画像入力外部装置であって良い。外部装置グループは、一組の装置、例えばマウス、キーボード、マイクロホン、スピーカ、ディスプレイであって良い。外部装置集積ユニット９０５は、自己の単独の外部装置ＩＤを有することができ、外部装置集積ユニット９０５の識別に用いられる。外部装置処理ユニット９６４の構造と機能は、図１の外部装置処理ユニット１１０と同じであるか似ている。図９Ｄに示す外部装置集積ユニット９０５がいかなるセントラル処理ユニット１２０とも通信が可能である。外部装置集積ユニット９０５の構造のメリットは、以降の外部装置生産メーカが、製造したいかなる一種の外部装置または一組の外部装置のために一つの外部装置処理ユニット９６４（または１１０）を専門配置し、外部装置集積ユニット９０５のＩＤ、外部装置パラメータ、外部装置呼び出しコマンド、外部装置通信プロトコル、使用説明を事前に設けて置くことが可能なことである。いかなる一種の外部装置または一組の外部装置を購入した後、使用者はそのセントラル処理ユニット１２０を、外部機器使用説明に応じてパラメータ、呼び出しコマンド、外部装置通信プロトコルを設けて、セントラル処理ユニット１２０が外部装置集積ユニット９０５と通信できるようにし、それによって、該外部装置または外部装置グループを使用できるようにする。このようなモジュール化された設置は、セントラル処理ユニット１２０をいかなる一種の単独製造された外部装置または外部装置グループとの接続を便利にできる。
【００４７】
図１０Ａは、多くのユーザに対して多くの外部装置を開放及び提供するシステム１００１を示している。図１０Ａに示すように、外部装置処理サービスセンター１１０´に、一つ又は複数のサーバを設けることができ、多くの外部装置を配置し、複数のセントラル処理ユニット１２０（１２０．１、１２０．２、・・・、１２０．ｍ）にサービスを提供する。
【００４８】
図１０Ｂは、複数の外部装置処理ユニット１１０（または外部装置処理サービスセンター１１０´）を備えるシステム１００２を示している。複数の外部装置処理ユニット１１０（または外部装置処理サービスセンター１１０´）は、異なる地点、異なる都市、異なる国家に分布させることが可能であり、一定の距離範囲内にさえあればいい。セントラル処理ユニット１２０をコントロールして、いかなる一つの外部装置処理ユニット１１０（または外部装置処理サービスセンター１１０´）に入ることができるとともに、それが提供する外部装置サービスを受けることができる。
【００４９】
図１０Ｃは、外部装置処理サービスセンター１１０´中の更なる具体的な構造１００３を示している。図１０Ｃに示すように、外部装置処理サービスセンター１１０´は、サーバ／サーバグループ１０１４と、ローカル高速ネットワーク１０１２と、外部通信回路１０１６を含む。サーバ／サーバグループ１０１４のコントロールで、ローカル高速ネットワーク１０１２は、外部装置１、外部装置２、・・・、外部装置ｎと接続し、サーバ／サーバグループ１０１４が管理するとともに、セントラル処理ユニット１２０（１２０．１、１２０．２、・・・、１２０．ｍ）のために外部装置１、外部装置２、・・・、外部装置ｎを分配する。サーバ／サーバグループ１０１４のコントロールで、外部装置処理サービスセンター１１０´は無線電話通信サービスプロバイダ、インターネット／クラウド処理サービスプロバイダ、ＬＡＮ、ＷＩＦＩ等と間接通信が可能であり、それによって、セントラル処理ユニット１２０（１２０．１、１２０．２、・・・、１２０．ｍ）に向けて無線電話通信、インターネット／クラウド処理、ＬＡＮサービス、ＷＩＦＩサービスを提供する。このように、セントラル処理ユニット１２０（１２０．１、１２０．２、・・・、１２０．ｍ）は、その外部通信回路１２５（図１を参照）を省くことができ、それによって、セントラル処理ユニット１２０（１２０．１、１２０．２、・・・、１２０．ｍ）の電気回路を更に簡略化することができる。
【００５０】
図１１は、本発明のパーソナル通信ワークシステム１００を操作するフロー図１１００である。
【００５１】
ステップ１１０３：開始ステップ１１０２からステップ１１０３へ移行した後、あるセントラル処理ユニット１２０が付近の外部装置処理ユニット１１０（または外部装置処理サービスセンター１１０´）に向けて外部装置使用請求を送信する。一つのセントラル処理ユニット１２０が一つの例えば図１又は図１０Ａ〜Ｃに示す外部装置処理ユニット１１０（または外部装置処理サービスセンター１１０´）中の外部装置１３１（１３１．１、１３１．２、・・・、１３１．ｎ）を使用しようとする際、該セントラル処理ユニット１２０はそのセントラル通信電気回路１２２を介して外部装置処理ユニット１１０に向けて外部装置使用請求を送信し、外部装置使用請求は、該セントラル処理ユニットＩＤを含む。セントラル処理ユニット１２０のＩＤはＩＤ回路（またはメモリ）１０１に存在し、各セントラル処理ユニット１２０は唯一（または単独）のＩＤ（例えばＩＰアドレスや電話番号を使用する）を具備する。セントラル処理ユニット１２０が外部装置処理ユニット１１０に向けて外部装置使用請求を送信する前に、セントラルプロセッサ１２１がそのＩＤをセントラルＩＤ回路（またはメモリ）１２３から取り出すとともに、セントラル通信電気回路１２２へ送信し、外部装置処理ユニット１１０（または外部装置処理サービスセンター１１０´）に向けて外部装置使用請求を送信する。外部装置使用請求には、一つの開始信号と一つの終了信号が含まれる。外部装置使用請求には、複数の情報フィールド（請求の性質を含む）も含まれており、複数の情報フィールドは、開始信号と終了信号の間に含まれ、外部装置処理ユニット１１０が開始信号と終了信号の間の情報を切り取るのに便利である。
【００５２】
ステップ１１０４：外部装置処理ユニット１１０（または外部装置処理サービスセンター１１０´）が承認処理を行う。セントラル処理ユニット１２０が、外部装置処理ユニット１１０（または外部装置処理サービスセンター１１０´）の一定の距離の範囲内に位置する際、外部装置処理ユニット１１０（または外部装置処理サービスセンター１１０´）において、その外部装置通信電気回路１０２を介してセントラル処理ユニット１２０による外部装置使用請求（そのＩＤを含む）を受信し、セントラル処理ユニット１２０のＩＤと外部装置使用請求がその外部装置プロセッサ１１１へ送信される。該外部装置処理ユニット１１０（または外部装置処理サービスセンター１１０´）が閉鎖したシステム（即ち、事前に登記したセントラル処理ユニットにだけサービスを提供する）であるならば、該外部装置処理ユニット１１０はユーザテーブル２０１（図２Ａを参照）に受信したＩＤが予め存在するかどうかを検査する。受信したＩＤが見つからない場合は、該外部装置処理ユニット１１０（または外部装置処理サービスセンター１１０´）は外部装置使用請求を拒絶する。ユーザテーブル２０１に受信したＩＤを見つけた場合は、該外部装置処理ユニット１１０（または外部装置処理サービスセンター１１０´）（使用者に向って暗号情報を確認した後でも良い）は、外部装置使用請求の予備承認を行う。該外部装置処理ユニット１１０が開放システム（及び任意の一つのセントラル処理ユニットに対してサービスを提供する）であるならば、該外部装置処理ユニット１１０（または外部装置処理サービスセンター１１０´）は、ユーザテーブル２０１を検査せずに外部装置使用請求を予備承認する。外部装置使用請求の予備承認を行った後、外部装置プロセッサ１１１が外部装置使用状態テーブル２０２（図２Ｂを参照）及び／又は外部装置グループ使用状態テーブル２０３（図２Ｃを参照）を調査し、アイドルの外部装置１３１（１３１．１、１３１．２、・・・、１３１．ｎ）があるかどうか確認する。アイドルの外部装置１３１（１３１．１、１３１．２、・・・、１３１．ｎ）が無い（即ち、外部装置の使用状態テーブル２０２の第一列、又は外部装置グループ使用状態テーブル２０３の第一列の有するセルが全てＩＤで埋まっている、あるいは、所有する外部装置がすべて動作状態にある）場合、外部装置プロセッサ１１は外部装置使用請求を拒絶する。アイドルの外部装置１３１（１３１．１、１３１．２、・・・、１３１．ｎ）がある場合、外部装置プロセッサ１１１は外部装置使用請求を承認する。
【００５３】
ステップ１１０５：外部装置処理ユニット１１０（または外部装置処理サービスセンター１１０´）が承認判断を行う。承認が通った場合、ステップ１００６へ移って、外部装置請求承認応答を行う。承認が通らなかった場合、ステップ１００７へ移って、セントラル処理ユニット１２０に対して外部装置請求拒絶の応答を行い、その後、ステップ１１２０へ移って、終了する。
【００５４】
ステップ１１０６：外部装置処理ユニット１１０（または外部装置処理サービスセンター１１０´）が外部装置請求承認応答を送信する。外部装置使用請求が承認された後、外部装置プロセッサ１１１が外部装置ＩＤ回路（又はメモリ）からその外部装置ＩＤを取り出し、その外部装置通信電気回路１０２を介して、外部装置使用請求承認応答を送信する。使用請求承認応答には、一つの開始信号と一つの終了信号が含まれ、また、複数の情報フィールド（応答の性質を含む）も含まれている。複数の情報フィールドは、開始信号と終了信号の間に含まれ、セントラル処理ユニット１２０が開始信号と終了信号の間の応答情報を切り取るのに便利である。請求承認応答は、該外部装置処理ユニット１１０（または外部装置処理サービスセンター１１０´）のＩＤと、セントラル処理ユニット１２０のＩＤ（該外部装置請求承認応答を受信するよう指示するのに用いられるセントラル処理ユニット１２０）と、使用可能な外部装置のＩＤまたは使用可能な外部装置グループのＩＤと、を含む。請求応答が送信される前、外部装置処理ユニット１１０は、図２Ｂで使用可能な外部装置または図２Ｃで使用可能な外部装置グループをロック状態に変えることができ、それらがその他のセントラル処理ユニット１２０の干渉を受けるのを禁止する。外部装置処理ユニット１１０（または外部装置処理サービスセンター１１０´）がセントラル処理ユニット１２０の外部装置使用請求を拒絶した場合は、外部装置処理ユニット１１０（または外部装置処理サービスセンター１１０´）は同様に、無線通信の方式で、セントラル処理ユニット１２０にその外部装置使用請求が拒絶された原因を通知する。
【００５５】
ステップ１１０８：セントラル処理ユニット１２０が外部装置起動請求を出力する。請求承認応答を受信した後、セントラル処理ユニット１２０中のセントラルプロセッサ１２１が請求承認応答のセントラルＩＤが自身のＩＤと一致するかどうかを調査し、一致するなら、請求承認応答中の内容を切り取る。一致しないなら、請求承認応答中の内容を破棄する。請求応答のＩＤと自身のＩＤが一致する際、セントラルプロセッサ１２１はそのセントラル操作表示装置１２４上に使用可能な外部装置のＩＤまたは使用可能な外部装置グループのＩＤ、及び使用可能な外部装置の名称を表示する。この時、使用者はセントラル操作表示装置１２４を介して、使用可能な外部装置または使用可能な外部装置グループを選択することができる。外部装置グループの選択機能は、セントラル処理ユニット１２０に外部装置処理ユニット１１０（または外部装置処理サービスセンター１１０´）へ向けての外部装置請求中において、一回請求で一つの外部装置グループが有するすべての装置を選択することができるようにさせる。このように、外部装置処理ユニット１１０（または外部装置処理サービスセンター）は、最適化された使用方式を用いることにより外部装置を組み合わせることができる。グループ選択の機能が無い場合、複数の１１０（１１０．１、１１０．２、・・・、１１０．ｎ）が一つの外部装置処理ユニット１１０（または外部装置処理サービスセンター１１０´）に向って通信する際、あるセントラル処理ユニット１２０が最適化された外部装置の組み合わせを選択するのは非常に難しい。セントラル処理ユニット１２０が外部装置起動請求を送信する前、該外部装置処理ユニット（または外部装置サービスセンター）のＩＤをテーブル２０４に書き入れるとともに、相応な一行に外部装置ＩＤ（または外部装置グループＩＤ）と請求内容（即ち起動請求）を書き入れる。その後、セントラル処理ユニット１２０がそのセントラル通信電気回路１２２を介して、外部装置起動請求を送信する。外部装置起動請求は、一つの開始信号と一つの終了信号が含まれる。外部装置起動請求には、複数の情報フィールド（請求の性質を含む）も含まれており、複数の情報フィールドは、開始信号と終了信号の間に含まれ、外部装置処理ユニット１１０が開始信号と終了信号の間の情報を切り取るのに便利である。外部装置起動請求中には、外部装置処理ユニット１１０（または外部装置処理サービスセンター１１０´）のＩＤと、自身のＩＤ（セントラル処理ユニット１２０のＩＤ）と、選定された外部装置のＩＤまたは外部装置グループのＩＤと、操作コマンド及び／又はデータが含まれる。
【００５６】
ステップ１１１０：外部装置処理ユニット１１０（または外部装置処理サービスセンター１１０´）において、セントラル処理ユニット１２０からの操作コマンド及び／又はデータを実行する。外部装置起動請求を受信した後、外部装置処理ユニット１１０が、外部装置起動請求中の外部装置処理ユニット１１０（または外部装置処理サービスセンター１１０´）のＩＤが自身のＩＤと一致するかどうかを調査し、一致するなら、外部装置起動請求中の内容を切り取る。一致しないなら、外部装置起動請求中の内容を破棄する。外部装置処理ユニット１１０（または外部装置処理サービスセンター１１０´）が外部装置起動請求の受信を確定した後、その外部装置プロセッサ１１１が、外部装置起動請求中から、セントラル処理ユニット１２０のＩＤと、選定された外部装置のＩＤまたは外部装置グループのＩＤと、操作コマンド及び／又はデータを切り取る。また、選定された外部装置または外部装置グループを使用して、操作コマンドに基づいてデータを処理し（または単独に操作コマンドを実行して）操作処理を行う。操作処理が実行される前、外部装置処理ユニット１１０は、動作状態テーブル２０２または２０３における、セントラル処理ユニット１２０のＩＤの行に対応する選択中の外部装置または外部装置グループをロック状態から動作状態に変えるが、選択されない外部装置または外部装置グループをロック状態からアイドル状態に変わる。
【００５７】
ステップ１１１２：外部装置処理ユニット１１０（または外部装置処理サービスセンター１１０´）が外部装置操作応答を送信する。操作処理結果を得た後、外部装置処理ユニット１１０は、その外部装置通信電気回路１０２を介して、外部装置操作応答を送信する。外部操作応答には、一つの開始信号と一つの終了信号が含まれる。外部装置操作応答には、複数の情報フィールド（請求の性質を含む）も含まれており、複数の情報フィールドは、開始信号と終了信号の間に含まれ、外部装置処理ユニット１１０が開始信号と終了信号の間の情報を切り取るのに便利である。外部装置操作応答には、外部装置処理ユニット１１０（または外部装置処理サービスセンター１１０´）の外部装置ＩＤと、セントラル処理ユニット１２０のＩＤと、外部装置処理結果が含まれる。
【００５８】
ステップ１１１３：セントラル処理ユニット１２０が、操作結果をさらに継続処理する必要があるかどうか判断する。外部装置操作応答を受信した後、セントラル処理ユニット１２０中のセントラルプロセッサ１２１が、外部装置操作応答中のセントラル処理ユニットＩＤが自身のＩＤと一致するかどうかを調査し、一致するなら、外部装置操作応答中の内容を切り取る。一致しないなら、外部装置操作応答中の情報を破棄する。請求応答中のセントラル処理ユニットＩＤが自身のＩＤと一致する際、セントラルプロセッサ１２１は、外部装置の操作結果に更なる処理が必要かどうかを確定する。外部装置処理ユニット（または外部装置処理サービスセンター）のＩＤに基づき、その使用状態テーブル（又は状態追跡テーブル）２０４を調査することにより、セントラル処理ユニット１２０中のセントラルプロセッサ１２１がどこかの外部装置ユニット１１０（または外部装置処理サービスセンター１１０´）の操作結果を受信したかを確定することができ、該操作結果はどの具体的な外部装置請求と対応する。外部装置処理ユニット（または外部装置処理サービスセンター）のＩＤがあれば、セントラル処理ユニット１２０はすべて同時に複数の外部装置ユニット１１０（または外部装置処理サービスセンター１１０´）と通信と接続ができる。外部装置ユニット１１０（または外部装置処理サービスセンター１１０´）が送信した操作結果にさらなる継続処理が必要で無い場合は、ステップ１１１５へ移り、操作結果のさらなる継続処理が必要な場合は、ステップ１１１４へ移る。
【００５９】
ステップ１１１４：セントラル処理ユニット１２０が操作結果を継続処理する。例えば、操作結果が外部ノードに入る（例えばＩｎｔｅｒｎｅｔに入れる）必要があれば、セントラルプロセッサ１２１が、その外部通回路１２５を介してＩｎｔｅｒｎｅｔに入る処理を行う。
【００６０】
ステップ１１１５：セントラル処理ユニット１２０が、外部装置処理ユニット（または外部装置処理サービスセンター）ＩＤを具備する外部装置処理ユニット１１０（または外部装置処理サービスセンター１１０´）の外部装置１３１（１３１．１、１３１．２、・・・、１３１．ｎ）を継続使用する必要があるかどうか、確定する。該外部装置処理ユニット１１０中の外部装置１３１（１３１．１、１３１．２、・・・、１３１．ｎ）を継続使用する必要があれば、ステップ１１０８へ移り、新たな外部装置起動請求を送信する。該外部装置処理ユニット１１０中の外部装置１３１（１３１．１、１３１．２、・・・、１３１．ｎ）を継続使用する必要が無いなら１１１６へ移る。
【００６１】
ステップ１１１６：セントラル処理ユニット１２０が、外部装置使用終了請求を送信する。一つのセントラル処理ユニット１２０が、一つの例えば図１又は図１０Ａ〜Ｂに示す外部装置処理ユニット１１０（または外部装置処理サービスセンター１１０´）中の外部装置１３１（１３１．１、１３１．２、・・・、１３１．ｎ）の使用を終了しようとする際、該セントラル処理ユニット１２０は、そのセントラル通信電気回路１２２を介して、外部装置処理ユニット１１０（または外部装置処理サービスセンター１１０´）へ向けて外部装置使用終了請求を送信する。外部装置使用終了請求には、外部装置ユニット（または外部装置処理サービスセンター）のＩＤと自身のＩＤ（即ちセントラル処理ユニットＩＤ）が含まれる。外部装置使用終了請求には、一つの開始信号と一つの終了信号が含まれる。外部装置使用終了請求には、複数の情報フィールド（請求の性質を含む）も含まれており、複数の情報フィールドは、開始信号と終了信号の間に含まれ、外部装置処理ユニット１１０が開始信号と終了信号の間の情報を切り取るのに便利である。外部装置使用終了請求が送信される前、セントラル処理ユニット１２０は、相応の外部装置ユニット１１０（または外部装置処理サービスセンター１１０´）のＩＤをテーブル２０４から排除し、もはや使用する必要が無い外部装置処ニット１１０（または外部装置処理サービスセンター１１０´）を表示する。以降で該外部装置ユニット１１０（または外部装置処理サービスセンター１１０´）から送信されてきた応答を受信する場合、テーブル２０４から該外部装置ユニット１１０（または外部装置処理サービスセンター１１０´）のＩＤを見つけることができないので、該セントラル処理ユニット１２０は、該応答に対して何の処理も行わない。
【００６２】
ステップ１１１８：外部装置処理ユニット１１０（または外部装置処理サービスセンター１１０´）が、セントラル処理ユニット１２０との通信接続を切断する。セントラル処理ユニット１２０が送信した外部装置使用終了請求を受信した後、外部装置処理ユニット１１０中の外部装置プロセッサ１１１で外部装置使用終了請求の外部装置ユニット（または外部装置処理サービスセンター）のＩＤが自身のＩＤと一致するかどうかを調査する。一致するなら、外部装置使用終了請求中の内容を切り取る。一致しないなら、外部装置使用終了請求中の内容を破棄する。外部装置使用終了請求の受信を確定した後、外部装置処理ユニット１１０が、セントラル処理ユニット１２０のＩＤと外部装置使用終了請求を外部装置プロセッサ１１１へ送信する。外部装置プロセッサ１１１は、セントラル処理ユニット１２０のＩＤを外部装置使用状態テーブル２０２（図２Ｂを参照）及び／又は外部装置グループ使用状態テーブル２０３（図２Ｃを参照）の相応な行から排除するとともに、相応な外部装置使用状態テーブル２０２（図２Ｂを参照）及び／又は外部装置グループ使用状態テーブル（図２Ｃを参照）の相応な行の状態を、動作状態からアイドル状態に変え、相応な行の外部装置及び／又は外部装置グループを解放し、その他のセントラル処理ユニットがこれらの解放された外部装置及び／又は外部装置グループを使用できるようにする。外部装置プロセッサ１１１はその後、終了ステップ１１２０へ移る。ステップ１１２０：操作フローを終了する。
【００６３】
セントラル処理ユニット１２０のＩＤが、外部装置使用状態テーブル２０２（図２Ｂを参照）及び／又は外部装置グループ使用状態テーブル２０３（図２Ｃを参照）から排除された後、セントラル処理ユニット１２０が再び外部装置処理ユニット１１０へ向けて外部装置使用請求を送信する場合、外部装置プロセッサ１１１は、外部装置使用状態テーブル２０２（図２Ｂを参照）及び／又は外部装置グループ使用状態テーブル２０３（図２Ｃを参照）にセントラル処理ユニット１２０のＩＤをもはや探すことができない。よって、外部装置処理ユニット１１０は拒絶応答を送信し、セントラル処理ユニット１２０に外部装置使用請求を再び要求して、外部装置処理ユニット１１０がステップ１１０５に記載の承認処理から新たに行うようにする。
【００６４】
外部装置処理ユニット１１０との通信接続を保持するため、セントラル処理ユニット１２０は、そのセントラル通信電気回路１２２を介して、外部装置処理ユニット１１０（または外部装置処理サービスセンター１１０´）へ向けて通信保持請求を定期的に送信する。通信保持請求には、一つの開始信号と一つの終了信号が含まれ、保持請求には複数の情報フィールド（請求の性質と、外部装置処理ユニット１１０（または外部装置処理サービスセンター１１０´）のＩＤと、セントラル処理ユニット１２０のＩＤと、を含む）が含まれており、複数の情報フィールドは、開始信号と終了信号の間に含まれ、外部装置処理ユニット１１０（または外部装置処理サービスセンター１１０´）が開始信号と終了信号の間の情報を切り取るのに便利である。通信が保持された状態下で、セントラル処理ユニット１２０は外部装置処理ユニット１１０との通信状態を保持し、次回の相互通信の際に、承認操作を経る必要が無い。
【００６５】
よって、あるセントラル処理ユニット１２０へ外部装置使用請求承認を与えた後、外部装置処理ユニット１１０（または外部装置処理サービスセンター１１０´）は、セントラル処理ユニット１２０から送信されてくる通信保持請求を定期的に問い合わせて受信する。既定の期間内に該セントラル処理ユニット１２０から通信保持請求を受信した場合、外部装置処理ユニット１１０（または外部装置処理サービスセンター１１０´）はセントラル処理ユニット１２０との通信チャネルを継続保持する。既定の期間内に該セントラル処理ユニット１２０からの通信保持請求が無かった場合（セントラル処理ユニット１２０が離れた、シャットダウンされた、あるいは人為的に通信が切られた、かもしれない）外部装置処理ユニット１１０（または外部装置処理サービスセンター１１０´）はセントラル処理ユニット１２０はとの通信チャネルを切るとともに、図２Ａ又は図２Ｂのテーブルの相応な行の状態を更新し、外部装置処理ユニット１１０が使用する外部装置または外部装置グループをアイドル状態に設置して、その他のセントラル処理ユニットが解放された外部装置または外部装置グループを使用できるようにする。以降でセントラル処理ユニット１２０が外部装置処理ユニット１１０の外部装置を再び使用しようとする場合は、承認ステップから新たに開始する必要がある。
【００６６】
図１０Ａでは、複数のセントラル処理ユニット１２０（１２０．１、１２０．２、・・・、１２０．ｍ）と一つの外部装置処理サービスセンター１１０´（又は外部装置処理ユニット１１０）とが一つのワークシステム１００１を形成している。図１０Ａに示すワークシステム１００１において、起動した後、各セントラル処理ユニット１２０（１２０．１、１２０．２、・・・、１２０．ｍ）は、外部装置通信電気回路１０２を介して外部装置処理サービスセンター１１０´（又は外部装置処理ユニット１１０）へ向けて始終自動で外部装置使用請求（そのＩＤを含む）を送信する。セントラル処理ユニット１２０（１２０．１、１２０．２、・・・、１２０．ｍ）の外部装置使用請求を受信しさえすれば、前記外部装置処理サービスセンター１１０´（または外部装置処理ユニット１１０）は初期処理プログラムに自動的に入り、その一つのディスプレイ上に該セントラル処理ユニット１２０のＩＤ、該セントラル処理ユニット１２０の該外部装置処理ユニット１１０での使用権限、及び該外部装置処理サービスセンター１１０´（または外部装置処理ユニット１１０）の外部装置状況を表示する。たくさんのセントラル処理ユニット１２０（１２０．１、１２０．２、・・・、１２０．ｍ）と向き合うと共にたくさんの外部装置を備えるので、図１０Ａの外部装置処理サービスセンター１１０´は、一台又は複数台の外部装置処理サーバ（又は外部装置処理サーバグループ）を設けても良く、外部装置処理サービスセンターは、高速ローカルネットワークを用いてその沢山の外部装置と接続して（図１０Ｃを参照）、複数のセントラル処理ユニット１２０（１２０．１、１２０．２、・・・、１２０．ｍ）と沢山の外部装置との間の通信を管理することができる。図１０Ａに示すワークシステム１００１は特に、公共の場所、例えば飛行場、駅、ホテル、レストラン、港湾などに適している。
【００６７】
図１０Ｂにおいて、一つのセントラル処理ユニット１２０と複数の外部装置処理ユニットまたは外部装置処理サービスセンター１１０（１１０．１、１１０．２、・・・、１１０．ｎ）とが一つのワークシステム１００２を形成している。各外部装置処理ユニット１１０は異なる地点に配置可能であり、該セントラル処理ユニット１２０は、各地点でもその地点の外部装置処理ユニット１１０を使用することができる。図１０Ｂに示すワークシステム１００１において、各セントラル処理ユニット１２０（１２０．１、１２０．２、・・・、１２０．ｍ）が起動した後、セントラル処理ユニット１２０（１２０．１、１２０．２、・・・、１２０．ｍ）は、外部装置通信電気回路を介して外へ向けて始終自動で外部装置使用請求（そのＩＤを含む）を送信する。同時に、データ収集器１４２が使用者の身体上の暗号情報を収集し、外部装置使用請求と一緒に外部装置処理ユニットまたは外部装置処理サービスセンター１１０へ送信する。セントラル処理ユニット１２０（１２０．１、１２０．２、・・・、１２０．ｍ）の外部装置使用請求を受信しさえすれば、外部装置処理ユニットまたは外部装置処理サービスセンターは初期処理プログラムに自動的に入るとともに、使用者の暗号情報を検査し、暗号情報を検査した後で、その一つのディスプレイ上に該セントラル処理ユニット１２０のＩＤ、該セントラル処理ユニット１２０の該外部装置処理ユニット１１０での使用権限、及び該外部装置処理ユニット１１０の外部装置状況を表示する。
【００６８】
図１１に示すプログラムは、図１に示すメモリ１０６または１２６に記憶可能であるとともに、外部装置処理ユニット１１０またはセントラル処理ユニット１２０によって実行される。図１１に示すプログラムは、図２５〜２６に示すメモリ２５０４、２５０６、２６０４、２６０６に記憶することも可能である。
【００６９】
本発明のワークシステムにとって、新たな外部装置または外部ネットワークノードが世に出た場合、現在のセントラル処理ユニット１２０はハードウェアを変える必要がなく、セントラル管理操作システムとプログラムにおいて、新たに世に出た外部装置に相応のパラメータ及び／又はコマンドを簡単に設置すればそれで良い。当然、外部装置処理ユニット１１０における外部装置管理操作システムとプログラムと外部装置インターフェース回路でも、相応の更新が必要である。
【００７０】
図１２は、本発明の新型の通信ワークシステムの別の実施例１２００である。通信ワークシステム１２００において、図１と同じ部材には同じ符号を用いる。図１２と図１の同じ符号の部材については、必要な場合を除いて、図１２を説明する際には重複して記載しない。
【００７１】
図１に示す通信ワークシステム１００と比べ、図１２に示すワークシステム１２００は、図１に示す外部装置処理ユニット１１０と拡張したセントラル処理ユニット１２２０を含む。そして、拡張したセントラル処理ユニット１２２０は、図１に示すセントラル処理ユニット１２０と移動電話モジュール１２６０を含む。移動電話モジュール１２６０には、表示インターフェース電気回路１２６２と接続する表示装置（表示スクリーンを含む）１２６１と、音声インターフェース電気回路１２６４と接続する音声装置（例えば拡声器やマイクロホン）１２６３と、通信プロトコル（例えばＣＤＭＡ又はＧＳＭ（登録商標）プロトコル）にあった通信信号を受信／送信するための無線通信回路１２６５と、測位衛星からの測位信号を受信して拡張セントラル処理ユニット１９１の位置と移動を指し示すためのＧＰＳ（又は測位）回路１２６６と、が含まれる。図１２に示す実施例において、セントラル処理ユニット１２０中のセントラル操作表示装置１２４は省略可能であり、表示装置１２６１によって代替可能である。
【００７２】
セントラル処理ユニット１２０中のセントラルプロセッサ１２１は、表示装置（例えば表示スクリーン）１２６１と、表示インターフェース電気回路１２６２と、音声装置１２６３と、音声インターフェース電気回路１２６４と、無線通信回路１２６５と、ＧＰＳ１２６６電気回路と接続する。表示装置（例えば表示スクリーン）１２６１と、表示インターフェース電気回路１２６２と、音声装置１２６３と、音声インターフェース電気回路１２６４と、無線通信回路１２６５と、ＧＰＳ１２６６電気回路は、セントラルプロセッサ１２１の制御の元で動作する。
【００７３】
具体的に、画像及び／又は文字を表示する際は、セントラルプロセッサ１２１が画像及び／又は文字の信号を表示インターフェース電気回路１２６２に送信すると共に、表示装置１２６１と表示インターフェース電気回路１２６２に対して相応の制御を行い、画像及び／又は文字の信号を表示装置１２６１上に表示できるようにする。音声を再生する際は、セントラルプロセッサ１２１が音声信号を音声インターフェース電気回路１２６４に送信するとともに、音声装置１２６３と音声インターフェース電気回路１２６４に対して相応の制御を行い、音声信号を音声装置１２６３で再生できるようにする。
【００７４】
（拡張）セントラル処理ユニット１９１（移動電話機能を具備する）の使用者が入力した音声信号を受信した時、音声インターフェース電気回路（例えばマイクロホン）１２６４が入力ポート１２６８を介して使用者が入力した音声信号を受信し、使用者の音声を音声電気信号へ変換し、その後、音声電気信号をセントラルプロセッサ１２１へ送信する。それに続いて、セントラルプロセッサ１２１が音声電気信号に対して相応の処理を行い、音声電気信号をＣＤＭＡ、ＷＣＤＭＡ（登録商標）又はＧＳＭプロトコルにあった通信信号に変換する。処理後の音声電気信号は無線通信回路１２６５へ送信されることが可能で、無線通信回路１２６５とアンテナ１２６９を介して、無線方式で外へ向かって送信される。
【００７５】
（拡張）セントラル処理ユニット１９１（移動電話機能を具備する）の使用者が入力した画像及び／又は文書入力を受信した時（たとえば、表示スクリーン、キーボード、撮影レンズを介して入力した画像及び／又は文書）、表示インターフェース電気回路１２６２が入力ポート１２６７を介して受信した画像及び／又は文書を電気信号に変換し、その後、電気信号をセントラルプロセッサ１２１へ送信する。それに続いて、セントラルプロセッサ１２１が電気信号に対して相応の処理を行い、例えば、電気信号をＣＤＭＡ、ＷＣＤＭＡ又はＧＳＭプロトコルにあった通信信号に変換する。処理後の電気信号は無線通信回路１２６５へ送信されることが可能で、無線通信回路１２６５とアンテナ１２６９を介して、無線方式で外へ向かって送信される。
【００７６】
何らかの通信プロトコルにあった無線通信信号（例えば、ＣＤＭＡ、ＷＣＤＭＡ又はＧＳＭプロトコルにあった通信信号）を受信した時、アンテナ１２６９を介して無線通信回路１２６５がＣＤＭＡ、ＷＣＤＭＡ又はＧＳＭプロトコルにあった通信信号を受信し、通信信号をセントラルプロセッサ１２１へ送信する。それに続いて、セントラルプロセッサ１２１が通信信号に対して相応の処理を行う。無線通信回路１２６５から受信した通信信号は、画像信号と文字信号と音声信号を含むことが可能である。前記のように、画像信号及び／又は文字信号に対して相応の処理を行った後、セントラルプロセッサ１２１は、処理後の画像及び／又は文字の信号を表示インターフェース電気回路１２６２に送信すると共に、表示装置１２６１と表示インターフェース電気回路１２６２に対して相応の制御を行い、画像及び／又は文字の信号を表示装置１２６１上に表示できるようにする。さらに前記のように、音声信号に対して相応の処理を行った後、セントラルプロセッサ１２１は、処理後の音声信号を音声インターフェース回路１２６４に送信するとともに、音声装置１２６３と音声インターフェース電気回路１２６４に対して相応の制御を行い、音声信号を音声装置１２６３で再生できるようにする。
【００７７】
拡張セントラル処理ユニット１９１の位置及び／又は移動信号を処理する際は、アンテナ１２７０を介してＧＰＳ（又は測位）電気回路１６６がＧＰＳ（又は測位）衛星から位置信号を受信し、位置信号をセントラルプロセッサ１２１へ送信する。それに続いて、セントラルプロセッサ１２１が位置信号に対して相応の処理を行う。拡張セントラル処理ユニット１９１の位置移動を処理する際は、一系列の位置信号の処理結果に対して拡張セントラル処理ユニット１９１の位置移動を反映することができる。外部装置処理ユニット１１０が拡張セントラル処理ユニット１９１の位置と移動を検索できるようにするために、セントラル通信電気回路１２２を介して、セントラルプロセッサ１２１が自己の一系列の位置信号を外部装置処理ユニット１１０中の外部装置通信電気回路１０２へ送信する。それに続いて、外部装置通信電気回路１０２が拡張セントラル処理ユニット１９１の一系列の位置信号を外部装置プロセッサ１１１へ送信する。拡張セントラル処理ユニット１９１の一系列の位置信号に対して処理することにより、外部装置プロセッサ１１１は、拡張セントラル処理ユニット１９１の位置と移動と移動方向を知る。拡張セントラル処理ユニット１９１の現在の移動距離とその内部の時計とを比較し、外部装置プロセッサ１１１は拡張セントラル処理ユニット１９１の移動速度を予測できる。
【００７８】
図１３は、本発明の表示システム１３００を示している。図１３において、表示システム１３００は複数の（拡張）セントラル処理ユニット１２２０（１２２０．１、１２２０．２、・・・、１２２０．ｍ）と表示外部装置１３３１を備え、表示外部装置１３３１は、外部装置処理サービスセンター１１０´（又は外部装置処理ユニット１１０）と接続する。Ｉｎｔｅｒｎｅｔ、ＷｉＦｉ、ＬＡＮを介して、外部装置処理サービスセンター１１０´（又は外部装置処理ユニット１１０）は、データサーバ／データセンター／データベース１２０４と通信接続する。本発明の表示システム１３００は、複数の拡張セントラル処理ユニット１２２０（１２２０．１、１２２０．２、・・・、１２２０．ｍ）のために情報を時分割に表示する（又は再生する）サービスを提供でき、情報は、画像、文字、及び／又は音声を含むことが可能である。図１３に示す表示システム１３００において、各（拡張）セントラル処理ユニット１２２０（１２２０．１、１２２０．２、・・・、１２２０．ｍ）は一定の時間間隔でそのＩＤを無線方式で絶えず外に向かって送信できる。当然、図１３が示す本発明の表示システム１３００も、複数の表示外部装置１３３１（１３３１．１、１３３１．２、・・・、１３３１．ｎ）に適用する。前記複数の表示外部装置１３３１（１３３１．１、１３３１．２、・・・、１３３１．ｍ）。
【００７９】
図１３に示す表示システム１３００には、プッシュサービス方式とインタラクティブサービス方式の２種のサービスモードが有る。プッシュサービス方式では、各セントラル処理ユニット１２２０（１２２０．１、１２２０．２、・・・、１２２０．ｍ）は全てその外部装置通信電気回路１２０を介して外部装置処理サービスセンター１１０´（又は外部装置処理ユニット１１０）へ向かってそのＩＤを送信（又は自動的に送信）することができる。セントラル処理ユニット１２２０（１２２０．１、１２２０．２、・・・、１２２０．ｍ）のＩＤを受信した後、外部装置処理サービスセンター１１０´（又は外部装置処理ユニット１１０）がその中の一つのセントラル処理ユニット１２２０（１２２０．ｉ）を選択するとともに、ＩＤに基づいて関係情報を探し求め（又はデータサーバ／データサービスセンター／データベース１２０４から関係情報を探し求め）、その後、探し求めた該ＩＤと関係する情報を外部装置１３３１（１３３１．１、１３３１．２、・・・、１３３１．ｎ）上に表示（又は再生）する。
【００８０】
インタラクティブサービス方式では、各セントラル処理ユニット１２２０（１２２０．１、１２２０．２、・・・、１２２０．ｍ）は全て、その外部装置通信電気回路１０２を介して外部装置処理サービスセンター１１０´（又は外部装置処理ユニット１１０）へ向かってそのＩＤを含む外部装置使用請求を送信することができる。セントラル処理ユニット１２２０（１２２０．１、１２２０．２、・・・、１２２０．ｍ）の外部装置使用請求を受信した後、外部装置処理サービスセンター１１０´（又は外部装置処理ユニット１１０）が、外部装置処理サービスセンター１１０´（又は外部装置処理ユニット１１０）のＩＤと選択されたセントラル処理ユニット１２２０（１２２０．ｉ）とを相互にマッチング（又はペアリング）させる方式を用いて、インタラクトする。外部装置処理サービスセンター１１０´（又は外部装置処理ユニット１１０）は、選択されたセントラル処理ユニット１２２０（１２２０．ｉ）のインタラクティブ請求に基づいて、そのインタラクティブ請求及び／又はIDに基づいて、関係情報を探し求め（又はデータサーバ／データサービスセンター／データベース１２０４から関係情報を探し求めた）、探し求めたＩＤと関係する情報及び／又はユーザインターフェース（画像、文字、音声の組み合わせによってなるユーザインターフェースであっても良い）を、選択されたセントラル処理ユニット１２２０（１２２０．ｉ）中の表示装置１２６１上に表示する。
【００８１】
図１４は、本発明の表示システム１４００を示している。図１４の表示システム１４００中の設備配置は、図１３の表示システム１３００の設備配置と同じである。図１３の表示システム１３３０と異なる点は、図１４の表示システム１４００が複数の（拡張）セントラル処理ユニット１２２０（１２２０．１、１２２０．２、・・・、１２２０．ｍ）に、画像／文字／音声の情報を同時に表示（又は再生）するサービスを提供できることである。
【００８２】
図１４に示すワークシステム１２００は同時プッシュ方式情報表示サービスを提供する。同時プッシュ方式情報表示サービスにおいて、各セントラル処理ユニット１２２０（１２２０．１、１２２０．２、・・・、１２２０．ｍ）は全てその外部装置通信電気回路１０２を介して外部装置処理サービスセンター１１０´（又は外部装置処理ユニット１１０）へ向かってそのＩＤを送信（又は自動的に送信）することができる。すべてのセントラル処理ユニット１２２０（１２２０．１、１２２０．２、・・・、１２２０．ｍ）のＩＤを受信した後、外部装置処理サービスセンター１１０´（又は外部装置処理ユニット１１０）は、所有するセントラル処理ユニット１２２０（１２２０．１、１２２０．２、・・・、１２２０．ｍ）のＩＤに基づいて所有するセントラル処理ユニット１２２０（１２２０．１、１２２０．２、・・・、１２２０．ｍ）と関係する情報（又はデータサーバ／データサービスセンター／データベース１２０４から所有するセントラル処理ユニットと関係する情報を探し求め）を探し求め、その後、探し求めた情報を表示外部装置１３３１（１３３１．１、１３３１．２、・・・、１３３１．ｎ）上に表示（又は再生）する。
【００８３】
選択可能なのは、同時プッシュ方式情報表示サービスにおいて、外部装置処理サービスセンター１１０´（又は外部装置処理ユニット１１０）は、ＩＤに基づいて、所有するセントラル処理ユニット１２２０（１２２０．１、１２２０．２、・・・、１２２０．ｍ）を共通性がある数個の小グループに分け、その中の一つの小グループを選定し、選定した小グループ中の所有ＩＤに基づいて、選定した小グループ中の所有ＩＤと関係する情報を探し出し（又はデータサーバ／データサービスセンター／データベース１２０４から選定した小グループの所有ＩＤと関係する情報を探し出し）、その後、探し出した情報を表示外部装置１３３１（１３３１．１、１３３１．２、・・・、１３３１．ｎ）上に表示（又は再生）する。選定した小グループへのサービスが終了した後、次の小グループへサービスを提供する。
【００８４】
図１５は、図１３に示すような表示システム１３００を操作するフロー図１５００である。フロー図１５００において、ステップ１５０２〜１５０７は、プッシュモードサービスのフローであり、ステップ１６０３〜１６１６は、インタラクティブモードサービスのフローである。
【００８５】
ステップ１５０２：開始ステップ１５０１からステップ１５０２へ移った後、外部装置処理ユニット１１０（又は外部装置処理サービスセンター１１０´）が、一つ又は複数の（拡張）セントラル処理ユニット１２２０（１２２０．１、１２２０．２、・・・、１２２０．ｍ）からのＩＤ信号を受信したかどうかを検出する。外部装置処理ユニット１１０（又は外部装置処理サービスセンター１１０´）と（拡張）セントラル処理ユニット１２２０（１２２０．１、１２２０．２、・・・、１２２０．ｍ）の間は、弱（又は近距離）通信インターフェースを介して情報を交換するので、外部装置処理ユニット１１０（又は外部装置処理サービスセンター１１０´）が一つ又は複数の（拡張）セントラル処理ユニット１２２０（１２２０．１、１２２０．２、・・・、１２２０．ｍ）のＩＤ信号を検出すると、一つ又は複数の（拡張）セントラル処理ユニット１２２０（１２２０．１、１２２０．２、・・・、１２２０．ｍ）の使用者が表示外部装置１２３１を見つけることが出来た距離にあるのを表明する。（拡張）セントラル処理ユニット１２２０（１２２０．１、１２２０．２、・・・、１２２０．ｍ）が外部装置処理ユニット１１０（又は外部装置処理サービスセンター１１０´）の付近に無いのなら、外部装置処理ユニット１１０（又は外部装置処理サービスセンター１１０´）はいかなる（拡張）セントラル処理ユニット１２２０が送信するＩＤも受信することができない。この時フロー図１５００は、外部装置処理ユニット１１０（又は外部装置処理サービスセンター１１０´）が一つ又は複数の（拡張）セントラル処理ユニット１２２０（１２２０．１、１２２０．２、・・・、１２２０．ｍ）が送信するＩＤを受信できるまで、ステップ１５０２で循環待機となる。図１３に示す（拡張）セントラル処理ユニット１２２０（１２２０．１、１２２０．２、・・・、１２２０．ｍ）中のそれぞれは、そのＩＤを含むパケットを定期的に一つ送信する。該パケットには、一つの開始信号と一つの終了信号が含まれる。ＩＤ情報は、開始信号と一つの終了信号の間に含まれ、外部装置処理ユニット１１０（又は外部装置処理サービスセンター１１０´）が開始信号と終了信号の間のＩＤ情報を切り取るのに便利である。なお、ＩＤ情報はＩＰアドレスまたは移動電話番号であっても良い。どのようにＩＤを送信するかの細部は図１１のステップ１１０３中の記述と似ている。
【００８６】
ステップ１５０３：外部装置処理ユニット１１０（又は外部装置処理サービスセンター１１０´）が、受信した一つ又は複数のＩＤ中で一つのＩＤを選択することにより、該ＩＤを具備する（拡張）セントラル処理ユニット２２０（１２２０．ｉ）を選択する。選択された（拡張）セントラル処理ユニット２２０（１２２０．ｉ）のＩＤは外部装置プロセッサ１１１内のメモリに記憶可能である。
【００８７】
ステップ１５０５：外部装置処理ユニット１１０（又は外部装置処理サービスセンター１１０´）が、選択したＩＤに基づいて、選択したＩＤと関連する履歴データ（履歴データは、旅行、買い物、閲読、好みなどの履歴データを含んでもよい）を探し求める。選択したＩＤと関連する履歴データは、ローカルのデータベース上に保存可能であるし、データサーバ／データセンター１２０４にも保存する。外部装置処理ユニット１１０（又は外部装置処理サービスセンター１１０´）は、Ｉｔｅｒｅｎｅｔ／ＬＡＮ１６０を介してデータセンター１２０４において、選択したＩＤと関連する履歴データを探し求める。
【００８８】
ステップ１５０６：外部処理ユニット１１０（又は外部装置処理サービスセンター１１０´）が、ＩＤと関連する履歴データに基づいて、選択したＩＤとの関係情報（関係情報は、旅行、商品、書籍、好みに関係する文字／画像／音声の情報を含む）を更に探し求める。これらの選択したＩＤとの関係情報は、該選定した（拡張）セントラル処理ユニット１２２０（１２２０．ｉ）の使用者が興味あったり必要だったりする情報である可能性が非常に高い。
【００８９】
ステップ１５０７：外部処理ユニット１１０（又は外部装置処理サービスセンター１１０´）が、選択したＩＤのために探し求めた関係情報を、表示外部装置１３３１上に表示（又は再生）する。
【００９０】
ステップ１５１０：外部処理ユニット１１０（又は外部装置処理サービスセンター１１０´）が、所定時間内で、選択した（拡張）セントラル処理ユニット１２２０（１２２０．ｉ）が送信するインタラクティブ請求を受信したかどうか探し求める。所定時間内に選択した（拡張）セントラル処理ユニット１２２０（１２２０．ｉ）がインタラクティブ請求を送信しない場合、ステップ１５０２へ移り、待機と共に次のＩＤを選択することにより、次の（拡張）セントラル処理ユニット１２２０（１２２０．ｊ）を選択する。以上の上記プッシュサービス方式を重複する。所定の時間内に、選定した（拡張）セントラル処理ユニット１２２０（１２２０．ｉ）の使用者が表示スクリーン１２６１上の所定の領域又は任意の領域（表示スクリーン１２６１上の何らかのアイコンであっても良い）をタッチしたならば、選定した（拡張）セントラル処理ユニット１２２０（１２２０．ｉ）は直ぐにインタラクティブ請求を送信し、ステップ１６０３へ移り、インタラクティブ操作モードを開始する。インタラクティブモードにおいて、表示外部装置１４３１はロックされ、その上の表示内容は不変を保持する。
【００９１】
ステップ１６０３：選択された（拡張）セントラル処理ユニット１２２０（１２２０．ｉ）が、外部装置処理ユニット１１０（又は外部装置処理サービスセンター１１０´）へ向けて、インタラクティブ請求パケットを送信する。インタラクティブ請求パケットには、一つの開始信号と一つの終了信号が含まれる。インタラクティブ請求パケットには、一つ又は複数の情報フィールド（インタラクティブ請求情報フィールドと、選択された（拡張）セントラル処理ユニット１２２０．ｉのＩＤを含む）も含まれている。一つ又は複数の情報フィールドは、開始信号と終了信号の間に含まれ、外部装置処理ユニット１１０が開始信号と終了信号の間の応答情報を切り取るのに便利である。
【００９２】
ステップ１６０６：インタラクティブ請求パケットを受信した後、外部装置処理ユニット１１０（又は外部装置処理サービスセンター１１０´）は、その中の（拡張）セントラル処理ユニット１２２０（１２２０．ｉ）のＩＤを切り取り、外部装置プロセッサ１１１が、切り取ったＩＤと記憶されている選択されたＩＤとを照合する。二つのＩＤがマッチングする場合、外部装置処理ユニット１１０（又は外部装置処理サービスセンター１１０´）は、インタラクティブ請求承認応答パケットを送信する。インタラクティブ請求承認応答パケットには、一つの開始信号と一つの終了信号が含まれ、また、複数の情報フィールド（インタラクティブ請求承認情報、選択された（拡張）セントラル処理ユニット１２２０．ｉのＩＤ、外部装置処理ユニット１１０（又は外部装置処理サービスセンター１１０´）、表示したい内容、ユーザインターフェース‐Ｕｓｅｒ  Ｉｎｔｅｒｆａｃｅを含む）を含む。複数の情報フィールドは、開始信号と終了信号の間に含まれ、セントラル処理ユニット１２０が開始信号と終了信号の間の応答情報を切り取るのに便利である。インタラクティブ請求応答パケットが送信される前、外部装置処理ユニット１１０（又は外部装置処理サービスセンター１１０´）は、図２Ｂの表示外部装置１２３１をロックでき、それがその他のセントラル処理ユニットに干渉されるのを禁止することができる。
【００９３】
ステップ１６０７：外部装置操作応答を受信した後、受取方のＩＤ（即ち（拡張）セントラル処理ユニット１２２０．ｉのＩＤ）を照合することにより、選択された（拡張）セントラル処理ユニット１２２０．ｉが、表示外部装置１２３１上に表示されている情報を、表示装置１２６１上に表示する。一つの実施例として、図１６Ａは表示装置１２６１上に表示された情報フレーム１６８０である。図１６Ａに示すように、情報フレーム１６８０は、商品記述領域１６６０とユーザインターフェース（Ｕｓｅｒ  Ｉｎｔｅｒｆａｃｅ）１６８０を含んでおり、ユーザインターフェース（Ｕｓｅｒ  Ｉｎｔｅｒｆａｃｅ）１６８０はカーソル１６８２と、選択肢：商品１購入（１６８３）、商品２購入（１６８４）、商品３購入（１６８５）と、文字検索命令を入力するための一つの文字入力検索ウインドウ１６８６と、を含んでいる。
【００９４】
ステップ１６０８：ユーザインターフェース（Ｕｓｅｒ  Ｉｎｔｅｒｆａｃｅ）１６８０でユーザインターフェース（Ｕｓｅｒ  Ｉｎｔｅｒｆａｃｅ）１６８０に対して必要な操作を実行するために、操作者は選択された（拡張）セントラル処理ユニット１２２０．ｉの、例えば図１６Ａのユーザインターフェース（Ｕｓｅｒ  Ｉｎｔｅｒｆａｃｅ）１６８０のカーソル１６８２を操作したいと思う位置へ移動させる。
【００９５】
ステップ１６１０：選択された（拡張）セントラル処理ユニット１２２０．ｉの使用者が３つの選択肢１６８３〜１６８５の中の一つを選択的にクリックするか、或いは、ウインドウ１６８６中に文字検索命令を入力した後、リターンキーを押す。その後、選択された（拡張）セントラル処理ユニット１２２０．ｉが、外部装置処理ユニット１１０（外部装置処理サービスセンター１１０´）へ向けて、実行請求パケットを送信する。実行請求パケットには、一つの開始信号と一つの終了信号が含まれ、また、複数の情報フィールド（実行情報と、選択された（拡張）セントラル処理ユニット１２２０．ｉのＩＤと、外部装置処理ユニット１１０（または外部装置処理サービスセンター１１０´）を含む）も含まれている。複数の情報フィールドは、開始信号と終了信号の間に含まれ、セントラル処理ユニット１２０が開始信号と終了信号の間の情報フィールドを切り取るのに便利である。使用者が選択肢１６８３又は１６８４又は１６８５をクリックしたら、実行請求が、製品１又は製品２又は製品３の購入を要求する。使用者がウインドウ１６８６中に文字を入力してリターンキーを押したなら、実行情報は検索命令に基づいて更なる検索を行うよう要求する。
【００９６】
ステップ１６１３：実行請求パケットを受信した後、受取方のＩＤ（即ち外部装置処理ユニット１１０のＩＤまたは外部装置処理サービスセンター１１０´のＩＤ）を照合することにより、外部装置処理ユニット１１０（又は外部装置処理サービスセンター１１０´）が、実行請求パケット中の内容に照らして実行請求を処理する。購入請求であるならば、外部装置処理ユニット１１０（又は外部装置処理サービスセンター１１０´）は、Ｉｎｔｅｒｎｅｔ／ＬＡＮ１６０を介して、データセンター１２０４中で購入記録を完成させ、その後、購入結果を外部装置操作応答の方式を用いて、選択された（拡張）セントラル処理ユニット１２２０．ｉへ送信すると共に、購入結果を選択された（拡張）セントラル処理ユニット１２２０．ｉの表示装置１２６１上に表示する。検索請求であるならば、外部装置処理ユニット１１０（又は外部装置処理サービスセンター１１０´）は、Ｉｎｔｅｒｎｅｔ／ＬＡＮ１６０を介して、データセンター／データベース１２０４で検索を実行する。
【００９７】
ステップ１６１４：実行請求の処理が完成した後、外部装置処理ユニット１１０（又は外部装置処理サービスセンター１１０´）は、選択された（拡張）セントラル処理ユニット１２２０．ｉへ向かって、実行請求応答パケットを送信し、ステップ１６１３中の検索結果を選択された（拡張）セントラル処理ユニット１２２０．ｉへ送信する。実行請求応答パケットには、一つの開始信号と一つの終了信号が含まれ、また、複数の情報フィールド（検索結果と、ユーザインターフェース（Ｕｓｅｒ  Ｉｎｔｅｒｆａｃｅ）と、選択された（拡張）セントラル処理ユニット１２２０．ｉのＩＤと、外部装置処理ユニット１１０（または外部装置処理サービスセンター１１０´）を含む）も含まれている。複数の情報フィールドは、開始信号と終了信号の間に含まれ、セントラル処理ユニット１２０が開始信号と終了信号の間の情報フィールドを切り取るのに便利である。請求応答パケットが送信された後、外部装置処理ユニット１１０（又は外部装置処理サービスセンター１１０´）は、表示外部装置１４３１を解放する。
【００９８】
ステップ１６１６：実行請求応答パケットを受信した後、選択された（拡張）セントラル処理ユニット１２２０．ｉは、ステップ１６１４中で検索した情報を、表示装置１２６１上に表示する。別の実施例として、図１６Ｂは、表示装置１２６１上に表示された情報フレーム１６８０´である。図１６Ｂに示すように、情報フレーム１６８０´は、商品記述領域１６６０´とユーザインターフェース（Ｕｓｅｒ  Ｉｎｔｅｒｆａｃｅ）１６８０´を含んでおり、ユーザインターフェース（Ｕｓｅｒ  Ｉｎｔｅｒｆａｃｅ）１６８０´はカーソル１６８２´と、三つの選択肢：商品ａ購入（１６８３´）、商品ｂ購入（１６８４´）、商品ｃ購入（１６８５´）と、文字検索命令を入力するための一つの文字入力検索ウインドウ１６８６´と、を含んでいる。情報を表示装置１２６１上に表示した後、ステップ１５１０へ移る操作を行い、次の番のプッシュモード又はインタラクティブモードの選択を実行する。
【００９９】
ステップ１６１６からステップ１５１０に移った後、外部装置処理ユニット１１０（又は外部装置処理サービスセンター１１０´）は、所定時間内で、選択された（拡張）セントラル処理ユニット１２２０（１２２０．ｉ）が送信した次の番のインタラクティブ請求を受信したかどうかを検出する。選択された（拡張）セントラル処理ユニット１２２０（１２２０．ｉ）が、所定の時間内に次の番のインタラクティブ請求を送信した場合、次の番のステップ１６０３〜１６１６に入る操作をする。次の番のインタラクティブモードのサービス中、操作者は、ユーザインターフェース（Ｕｓｅｒ  Ｉｎｔｅｒｆａｃｅ）１６８０´の内容に基づいて、インタラクトを行うことが可能である。ステップ１６１６からステップ１５１０に移った後、選択された（拡張）セントラル処理ユニット１２２０（１２２０．ｉ）が、所定の時間内に次の番のインタラクティブ請求を送信しなかった場合、次の番のステップ１５０２〜１５０７に入る操作をする。次の番のプッシュモードのサービス中、外部装置処理ユニット１１０（又は外部装置処理サービスセンター１１０´）が送信してくる次のＩＤ信号を検出して、次のＩＤ信号に基づいて、プッシュサービスを提供する。
【０１００】
図１７は、図１４に示すような表示システム１４００を操作するフロー図１７００である。
【０１０１】
ステップ１７０２：開始ステップ１７０１からステップ１７０２へ移った後、外部装置処理ユニット１１０（又は外部装置処理サービスセンター１１０´）は、複数の（拡張）セントラル処理ユニット１２２０（１２２０．１、１２２０．２、・・・、１２２．０ｍ）が有るかどうかを検出する。複数の（拡張）セントラル処理ユニット１２２０（１２２０．１、１２２０．２、・・・、１２２．０ｍ）が外部装置処理ユニット１１０（又は外部装置処理サービスセンター１１０´）の近くに検出できない場合、複数の（拡張）セントラル処理ユニット１２２０（１２２０．１、１２２０．２、・・・、１２２．０ｍ）が外部装置処理ユニット１１０（又は外部装置処理サービスセンター１１０´）の近くに移動するまで、フロー図１７００はステップ１７０２を循環する。複数の（拡張）セントラル処理ユニット１２２０（１２２０．１、１２２０．２、・・・、１２２．０ｍ）が外部装置処理ユニット１１０（又は外部装置処理サービスセンター１１０´）の近くに移動したとき、外部装置処理ユニット１１０（又は外部装置処理サービスセンター１１０´）は、複数のＩＤを受信することができる。
【０１０２】
ステップ１７０５：外部装置処理ユニット１１０（又は外部装置処理サービスセンター１１０´）が、複数のＩＤに基づいて、複数のＩＤと関連する履歴データ（履歴データは、旅行、買い物、閲読、好みなどの履歴データを含んでもよい）を探し求める。複数のＩＤと関連する履歴データは、ローカルのデータベース上に保存可能であるし、データサーバ／データセンター１２０４にも保存する。外部装置処理ユニット１１０（又は外部装置処理サービスセンター１１０´）は、Ｉｔｅｒｅｎｅｔ／ＬＡＮ１６０を介してデータサーバ／データセンター１２０４において、複数のＩＤと関連する履歴データを探し求める。
ステップ１７０７：外部処理ユニット１１０（又は外部装置処理サービスセンター１１０´）が、複数のＩＤと関連する履歴データに基づいて、複数のＩＤとの関係情報（関係情報は、旅行、商品、書籍、好みに関係する文字／画像／音声の情報を含む）を更に探し求める。これらの複数のＩＤとの関係情報は、複数の（拡張）セントラル処理ユニット１２２０（１２２０．ｉ）の使用者が興味あったり必要だったりする情報である可能性が非常に高い。
【０１０３】
ステップ１７０８：外部装置処理ユニット１１０（又は外部装置処理サービスセンター１１０´）は、選択したＩＤとの関係情報を、表示外部装置１３３１上に表示（または再生）する。その後、ステップ１７０２に移る操作を行い、次のグループの新たに受信したＩＤのために情報表示サービスを提供する。
【０１０４】
図１８は、図１と図３〜９に示す外部装置処理ユニット１１０中の外部装置プロセッサ１１１又は図１０Ｃ中（又は外部装置処理サービスセンター１１０´）に示すサーバ（例えば１０１４）の模範的な構成である。図１８に示すように、外部装置プロセッサ１１１（又は図１０Ｃ中のサーバ１０１４）は、一つの処理部材１８０２、内部メモリ１８０４、外部メモリ（ハードディスク）１８０６、磁気ディスクドライブインターフェース１８０８、ディスプレイ１８１０（又は１７１）、表示インターフェース１８１２、外部装置通信電気回路１８１７（又は１０２）、外部装置インターフェース回路１８１６（１０４）、外部通信回路１８１９（１２５）、入力／出力インターフェース１８１８、マウス１８２０、キーボード１８２２、システムバス１８１４、を含む。
【０１０５】
外部メモリ（ハードディスク）１８０６と磁気ディスクドライブインターフェース１８０８とが接続しており、ディスプレイ１８１０と表示インターフェース１８１２とが接続しており、マウス１８２０およびキーボード１８２２と入力／出力インターフェース１８１８とが接続している。処理部材１８０２、内部メモリ１８０４、磁気ディスクドライブインターフェース１８０８、表示インターフェース１８１２、外部通信電気回路１８１７（又は１０２）、外部装置インターフェース回路１８１６（１０４）、外部通信回路１８１９（１２５）、入力／出力インターフェース１８１８と、システムバス１８１４とが接続している。内部メモリ１８０４と外部メモリ１８０６は、プログラム、コマンド、データを記憶できる。一般的に、内部メモリ１８０４はアクセスがより速く、外部メモリ１８０６は記憶容量がより大きい。ディスプレイ１８１０は、実行中のプログラムと使用者の間に一つの可視インターフェースを提供可能である。外部装置通信電気回路１８１７（又は１０２）は、セントラル処理ユニット１２０と通信するのに用いられ、外部装置インターフェース回路１８１６（１０４）は応用外部装置１３１（１３１．１、１３１．２、・・・、１３１．ｎ）と通信するのに用いられ、外部通信回路１８１９（１２５）は外部ネットワークノードと通信するのに用いられる。処理部材１８０２は、内部メモリ１８０４と外部メモリ１８０６中のプログラムとコマンドとデータを読み取ることができるとともに、これらのプログラムとコマンドを実行することにより、該サーバの動作をコントロールできる。
【０１０６】
図１９は、図１と図３〜９に示すセントラル処理ユニット１２０のセントラルプロセッサ１２１の模範的な構成である。図１９に示すように、セントラルプロセッサ１２１は、処理部材１９０２と、内部メモリ１９０４と、フラッシュメモリ（Ｆｌａｓｈ  Ｍｅｍｏｒｙ）１９０６と、ディスプレイ１９１０と、表示インターフェース１９１２と、外部通信電気回路１９１６（又は１２５）と、セントラル通信電気回路１９１７（１２２）と、システムバス１９１４と、を含む。
【０１０７】
ディスプレイ１９１０と表示インターフェース１９１２とが接続している。処理部材１９０２、内部メモリ１９０４、フラッシュメモリ（Ｆｌａｓｈ  Ｍｅｍｏｒｙ）１９０６、表示インターフェース１９１２（１２６２）、外部通信電気回路１９１６（又は１２５）、セントラル通信電気回路１９１７（１２２）と、システムバス１９１４とが接続している。内部メモリ１９０４とフラッシュメモリ（Ｆｌａｓｈ  Ｍｅｍｏｒｙ）１９０６は、プログラム、コマンド、データを記憶できる。一般的に、内部メモリ１９０４はアクセスがより速く、フラッシュメモリ（Ｆｌａｓｈ  Ｍｅｍｏｒｙ）１９０６は記憶容量がより大きい。ディスプレイ１９１０は、実行中のプログラムと使用者の間に一つの可視インターフェースを提供可能である。セントラル通信電気回路１９１７（又は１２２）は、外部装置処理ユニット１１０（または外部装置処理サービスセンター１１０´）と通信するのに用いられ、外部通信電気回路１９１６（又は１２５）は外部ネットワークノードと通信するのに用いられる。処理部材１９０２は、内部メモリ１９０４とフラッシュメモリ（Ｆｌａｓｈ  Ｍｅｍｏｒｙ）１９０６中のプログラムとコマンドとデータを読み取ることができるとともに、これらのプログラムとコマンドを実行することにより、該サーバの動作をコントロールできる。
【０１０８】
図１１、１５、１７に示すプログラム（またはプロセス）は、内部メモリ１８０４又は外部メモリ（ハードディスク）１８０６内に記憶可能であるとともに、処理部材１８０２、１９０２によって実行される。図１１、１５、１７に示すプログラム（またはプロセス）は、内部メモリ１９０４又はフラッシュメモリ（Ｆｌａｓｈ  Ｍｅｍｏｒｙ）１９０６に記憶することも可能であるとともに、処理部材１９０２によって実行される。図１１、１５、１７に示すプログラム（またはプロセス）は、何度も平行に（または同時に）実行でき（即ち複数のユーザが実行できる）、複数のセントラル処理ユニット１２０（１２０．１、１２０．２、・・・、１２０．ｍ）の呼び出し（または複数のユーザの呼び出し）に応答する。
【０１０９】
図１の外部装置通信電気回路１０２、外部装置インターフェース回路１０４、セントラル通信電気回路１２２、外部通信回路１２５、外部通信回路１０１６（１２５）は既存の回路であってもよく、特に、各種外部装置のインターフェース回路は既存の設計の回路であってもよく、また、各タイプの外部ネットワークノードとの通信回路も既存の設計の回路であってもよい。よって、これらの電気回路又は回路については詳細に記載しない。
【０１１０】
本発明のメリットは更に以下のとおりである。
【０１１１】
データと情報をさらに有効に表示する。
【０１１２】
三位一体（セントラル処理ユニット＋外部装置処理ユニット＋複数の外部装置）の骨格が、動的に組み合わせが可能で、調整、グレードアップ、入れ替えが可能で、システムの安定性が最大限度に保証された。
【０１１３】
セントラル処理ユニットは、機能の簡略化と集中によって小型化し、さらに携帯しやすく、さらにエネルギを節約し、さらに環境を保護する。
【０１１４】
複数の外部装置が必要に応じて自由に組み合わされるので外部装置の選択が多様化し、外部装置の利用率を上げる。
【０１１５】
一つの「セントラル処理ユニット」毎に相対的固定なので、一つのＩＰアドレス、一つの電話番号、一つの装置ＩＤを占有するだけで、人体の生命信号の収集・設置と一体を構成し、所有者のパーソナル身分識別ＩＤとして使用することが完全に可能で、さらに有効に、ビックデータとクラウド処理などとセットにして使用可能である。
【０１１６】
動的な専署ＬＡＮを構築し、インターネットを隔絶し、閉鎖的なＬＡＮを柔軟に構成し、外界との接続を隔絶し、ネットワークの安全制御、反テロの安全ニーズ、に便利である。同様にインターネットにアクセスする外部装置を柔軟に追加し、直ぐに開放なＬＡＮを構成する。
【０１１７】
ハードウェア装置は柔軟にアクセスし、装置構成が簡単で、製造コストが下がり、汎用性が増大し、安全管理が便利である。既存の物流バーコードスキャナを例にして、物流バーコードスキャナは一つの完全なコンピュータであり、製造コストが高く、大量に記憶されたデータが安全に負担をかけている。本システムを利用すれば、物流バーコードスキャナの構造を大幅に簡略化でき、製造コストを下げ、データ消失のリスクは基本的にゼロであり、スキャナ外部装置を自由に共用と借用してデータ入力を完成でき、バーコードスキャナ装置を交換する際にデータの同期を待つ必要が無い。
【０１１８】
外部装置コントロールシステムは、空港、駅、クルーズ客船、大企業、学校、病院、図書館などの領域で、異なる仕事と使用環境で必要な事務装置、テスト装置、データ収集装置、表示装置、印刷装置などの外部装置と接続して、一つの高効率で低コストでモデルチェンジやアップグレードの更新に便利な動的なサービスセンターを構築し、それぞれにこの領域に入る、関係装置を使用しようとするセントラル処理ユニットにパーソナル化されたサポートを提供する。空港を例にして、一つのセントラル処理ユニット（１２０）が予め設置された外部装置制御システム（１１０´）の領域に入った後、セントラル処理ユニット（１２０）は必要な外部装置がある位置や、利用可能かどうか、どのくらい待たなければならないか、等を問い合わせ、使用後に既に離れた或いは主導的に切断され、該外部装置は直ぐにその他のセントラル処理ユニット（１２０）によって、問い合わせや識別に使用されることができる。これによって、外部装置の利用率と利便性を大いに高める。
【０１１９】
外部装置は外部装置コントロールユニット（１１０）または外部装置コントロールシステム（１１０´）と融合して一体化し、一つの更に柔軟で信頼的な外部装置を構成可能である。家の中で最も普遍的なテレビを例にして、各種のサイズのディスプレイや、テレビの受信機などを一つの外部装置システムに構成して、ひいては固定化して一体の機器とすることができ、一つのセントラル処理ユニット（１２０）はいかなるサイズのディスプレイ上でも、連続して絶え間なく、同じ本の閲読、同じアルバムの鑑賞、同じ大ヒット映画鑑賞、が可能である。
【０１２０】
同様に、一つのメモリを外部装置として外部装置コントロールユニット（１１０）または外部装置コントロールシステム（１１０´）と融合して一体化することも可能であり、該メモリ（ハードディスク）はいかなる一つの識別可能なセントラル処理ユニット（１２０）にもデータを提供・記憶することが可能である。
【図１】
0006675405.tif 000002
【図２Ａ】
0006675405.tif 000003
【図２Ｂ】
0006675405.tif 000004
【図２Ｃ】
0006675405.tif 000005
【図２Ｄ】
0006675405.tif 000006
【図３】
0006675405.tif 000007
【図４】
0006675405.tif 000008
【図５】
0006675405.tif 000009
【図６】
0006675405.tif 000010
【図７】
0006675405.tif 000011
【図８】
0006675405.tif 000012
【図９Ａ】
0006675405.tif 000013
【図９Ｂ】
0006675405.tif 000014
【図９Ｃ】
0006675405.tif 000015
【図９Ｄ】
0006675405.tif 000016
【図１０Ａ】
0006675405.tif 000017
【図１０Ｂ】
0006675405.tif 000018
【図１０Ｃ】
0006675405.tif 000019
【図１１】
0006675405.tif 000020
【図１２】
0006675405.tif 000021
【図１３】
0006675405.tif 000022
【図１４】
0006675405.tif 000023
【図１５】
0006675405.tif 000024
【図１６Ａ】
0006675405.tif 000025
【図１６Ｂ】
0006675405.tif 000026
【図１７】
0006675405.tif 000027
【図１８】
0006675405.tif 000028
【図１９】
0006675405.tif 000029